(57)【要約】【課題】より柔軟な運用が可能な表示装置を提供する。【解決手段】ある実施形態における表示装置は、空気中の波長がλ１aの第１の光を発する第１フォトルミネッセンス層を有する第１発光素子、および、第２フォトルミネッセンス層を有する第２発光素子の配列を含む表示面を有する。第１発光素子は、さらに、第１フォトルミネッセンス層に近接して配置された第１透光層と、第１フォトルミネッセンス層および第１透光層の少なくとも一方の表面に形成され、複数の凸部および複数の凹部の少なくとも一方を含む第１表面構造とを有する。第１表面構造は、第１の光の指向角を制限する。【選択図】図３６
2016029481.tif 000002
【特許請求の範囲】
【請求項１】
空気中の波長がλ１aの第１の光を発する第１フォトルミネッセンス層を有する第１発光素子、および、第２フォトルミネッセンス層を有する第２発光素子の配列を含む表示面を備え、
前記第１発光素子は、さらに、
前記第１フォトルミネッセンス層に近接して配置された第１透光層と、
前記第１フォトルミネッセンス層および前記第１透光層の少なくとも一方の表面に形成され、複数の凸部および複数の凹部の少なくとも一方を含む第１表面構造と、を有し、
前記第１表面構造は、前記第１の光の指向角を制限する、表示装置。
【請求項２】
前記第１表面構造は、前記第１の光の指向角を、１５°未満に制限する、請求項１に記載の表示装置。
【請求項３】
前記第２フォトルミネッセンス層は、空気中の波長がλ１aの第２の光を含む光を発し、
前記第１の光の指向角は、前記第２の光の指向角よりも小さい、請求項１または２に記載の表示装置。
【請求項４】
前記第２フォトルミネッセンス層は、波長λ１aとは異なる、空気中の波長がλ２aの第２の光を発し、
前記第１の光の指向角は、前記第２の光の指向角よりも小さい、請求項１または２に記載の表示装置。
【請求項５】
前記第１表面構造は、前記第１の光の強度を、前記第１表面構造によって予め決められた第１の方向において最大にし、
前記第２発光素子は、さらに、
前記第２フォトルミネッセンス層に近接して配置された第２透光層と、
前記第２フォトルミネッセンス層および前記第２透光層の少なくとも一方の表面に形成され、複数の凸部および複数の凹部の少なくとも一方を含む第２表面構造と、を有し、
前記第２表面構造は、前記第２の光の指向角を制限し、かつ、前記第２の光の強度を、前記第２表面構造によって予め決められた、前記第１の方向とは異なる第２の方向において最大にする、請求項３または４に記載の表示装置。
【請求項６】
前記第２表面構造は、前記第２の光の指向角を、１５°未満に制限する、請求項５に記載の表示装置。
【請求項７】
前記第２表面構造における隣接する２つの凸部間または隣接する２つの凹部間の距離をＤ２intとし、前記第２の光に対する前記第２フォトルミネッセンス層の屈折率をｎ２wavとすると、λ１a／ｎ２wav＜Ｄ２int＜λ１aまたはλ２a／ｎ２wav＜Ｄ２int＜λ２aの関係が成り立つ、請求項５または６に記載の表示装置。
【請求項８】
前記第２表面構造は、少なくとも１つの周期構造を有し、
前記第２表面構造における前記少なくとも１つの周期構造の周期をｐ２とし、前記第２の光に対する前記第２フォトルミネッセンス層の屈折率をｎ２wavとすると、λ１a／ｎ２wav＜ｐ２＜λ１aまたはλ２a／ｎ２wav＜ｐ２＜λ２aの関係が成り立つ、請求項５から７のいずれかに記載の表示装置。
【請求項９】
前記第２フォトルミネッセンス層と前記第２透光層とが互いに接している、請求項５から８のいずれかに記載の表示装置。
【請求項１０】
前記第２の光の光路上に配置された光学シャッタを有する、請求項３から９のいずれかに記載の表示装置。
【請求項１１】
前記第１の光の少なくとも一部または前記第２の光の少なくとも一部を反射するミラーを有する、請求項５から１０のいずれかに記載の表示装置。
【請求項１２】
前記第１表面構造における隣接する２つの凸部間または隣接する２つの凹部間の距離をＤ１intとし、前記第１の光に対する前記第１フォトルミネッセンス層の屈折率をｎ１wavとすると、λ１a／ｎ１wav＜Ｄ１int＜λ１aの関係が成り立つ、請求項１から１１のいずれかに記載の表示装置。
【請求項１３】
前記第１表面構造は、少なくとも１つの周期構造を有し、
前記第１表面構造における前記少なくとも１つの周期構造の周期をｐ１とし、前記第１の光に対する前記第１フォトルミネッセンス層の屈折率をｎ１wavとすると、λ１a／ｎ１wav＜ｐ１＜λ１aの関係が成り立つ、請求項１から１２のいずれかに記載の表示装置。
【請求項１４】
前記第１フォトルミネッセンス層と前記第１透光層とが互いに接している、請求項１から１３のいずれかに記載の表示装置。
【請求項１５】
前記第１の光の光路上に配置された光学シャッタを有する、請求項１から１４のいずれかに記載の表示装置。
【請求項１６】
前記第１発光素子および前記第２発光素子の少なくとも一方に励起光を入射させる少なくとも１つの励起光源を有する、請求項１から１５のいずれかに記載の表示装置。
【請求項１７】
前記少なくとも１つの励起光源は、
前記第１発光素子に励起光を入射させる第１励起光源と、
前記第２発光素子に励起光を入射させる第２励起光源と、を含む、請求項１から１６のいずれかに記載の表示装置。
【発明の詳細な説明】
【技術分野】
【０００１】
本開示は、表示装置に関し、特に、フォトルミネッセンス層を有する発光素子が用いられた表示装置に関する。
【背景技術】
【０００２】
照明器具、ディスプレイ、プロジェクターといった光学デバイスでは、多くの用途において、必要な方向に光を出射することが求められる。蛍光灯、白色ＬＥＤなどで使用されるフォトルミネッセンス材料は等方的に発光する。よって、特定の方向に光を出射させることが求められる用途においては、このような材料は、リフレクターやレンズなどの光学部品とともに用いられる。例えば、特許文献１は、配光板および補助反射板を用いて指向性を確保した照明システムを開示している。
【先行技術文献】
【特許文献】
【０００３】
【特許文献１】特開２０１０−２３１９４１号公報
【発明の概要】
【発明が解決しようとする課題】
【０００４】
光学デバイスにおいて、特定の方向に光を出射するためにリフレクターやレンズなどの光学部品を配置すると、そのスペースを確保するために、光学デバイス自身のサイズを大きくする必要がある。これらの光学部品を無くすか、少しでも小型化できると有益である。
【０００５】
本開示は、より柔軟な運用が可能な表示装置を提供する。
【課題を解決するための手段】
【０００６】
本開示のある実施形態の表示装置は、空気中の波長がλ１aの第１の光を発する第１フォトルミネッセンス層を有する第１発光素子、および、第２フォトルミネッセンス層を有する第２発光素子の配列を含む表示面を備える。前記第１発光素子は、さらに、前記第１フォトルミネッセンス層に近接して配置された第１透光層と、前記第１フォトルミネッセンス層および前記第１透光層の少なくとも一方の表面に形成され、複数の凸部および複数の凹部の少なくとも一方を含む第１表面構造とを有する。前記第１表面構造は、前記第１の光の指向角を制限する。
【０００７】
上記の包括的または具体的な態様は、素子、装置、システム、方法、またはこれらの任意の組み合わせで実現されてもよい。
【発明の効果】
【０００８】
本開示のある実施形態によれば、より柔軟な運用が可能な表示装置を提供することができる。
【図面の簡単な説明】
【０００９】
【図１Ａ】ある実施形態による発光素子の構成を示す斜視図である。
【図１Ｂ】図１Ａに示す発光素子の部分断面図である。
【図１Ｃ】他の実施形態による発光素子の構成を示す斜視図である。
【図１Ｄ】図１Ｃに示す発光素子の部分断面図である。
【図２】発光波長および周期構造の高さをそれぞれ変えて、正面方向に出射する光の増強度を計算した結果を示す図である。
【図３】式（１０）におけるｍ＝１およびｍ＝３の条件を図示したグラフである。
【図４】発光波長およびフォトルミネッセンス層の厚さｔを変えて正面方向に出力する光の増強度を計算した結果を示す図である。
【図５Ａ】厚さｔ＝２３８ｎｍのときに、ｘ方向に導波するモードの電場分布を計算した結果を示す図である。
【図５Ｂ】厚さｔ＝５３９ｎｍのときに、ｘ方向に導波するモードの電場分布を計算した結果を示す図である。
【図５Ｃ】厚さｔ＝３００ｎｍのときに、ｘ方向に導波するモードの電場分布を計算した結果を示す図である。
【図６】図２の計算と同じ条件で、光の偏光がｙ方向に垂直な電場成分を有するＴＥモードである場合について光の増強度を計算した結果を示す図である。
【図７Ａ】２次元の周期構造の例を示す平面図である。
【図７Ｂ】２次元周期構造に関して図２と同様の計算を行った結果を示す図である。
【図８】発光波長および周期構造の屈折率を変えて正面方向に出力する光の増強度を計算した結果を示す図である。
【図９】図８と同様の条件でフォトルミネッセンス層の膜厚を１０００ｎｍにした場合の結果を示す図である。
【図１０】発光波長および周期構造の高さを変えて正面方向に出力する光の増強度を計算した結果を示す図である。
【図１１】図１０と同様の条件で、周期構造の屈折率をｎp＝２．０とした場合の計算結果を示す図である。
【図１２】光の偏光がｙ方向に垂直な電場成分を有するＴＥモードであるものとして図９に示す計算と同様の計算を行った結果を示す図である。
【図１３】図９に示す計算と同様の条件で、フォトルミネッセンス層の屈折率ｎwavを１．５に変更した場合の結果を示す図である。
【図１４】屈折率が１．５の透明基板の上に、図２に示す計算と同じ条件のフォトルミネッセンス層および周期構造を設けた場合の計算結果を示す図である。
【図１５】式（１５）の条件を図示したグラフである。
【図１６】図１Ａ、１Ｂに示す発光素子１００と、励起光をフォトルミネッセンス層１１０に入射させる光源１８０とを備える発光装置２００の構成例を示す図である。
【図１７Ａ】ｘ方向の周期ｐxを有する１次元周期構造を示す図である。
【図１７Ｂ】ｘ方向の周期ｐx、ｙ方向の周期ｐyを有する２次元周期構造を示す図である。
【図１７Ｃ】図１７Ａの構成における光の吸収率の波長依存性を示す図である。
【図１７Ｄ】図１７Ｂの構成における光の吸収率の波長依存性を示す図である。
【図１８Ａ】２次元周期構造の一例を示す図である。
【図１８Ｂ】２次元周期構造の他の例を示す図である。
【図１９Ａ】透明基板上に周期構造を形成した変形例を示す図である。
【図１９Ｂ】透明基板上に周期構造を形成した他の変形例を示す図である。
【図１９Ｃ】図１９Ａの構成において、発光波長および周期構造の周期を変えて正面方向に出力する光の増強度を計算した結果を示す図である。
【図２０】複数の粉末状の発光素子を混ぜた構成を示す図である。
【図２１】フォトルミネッセンス層の上に周期の異なる複数の周期構造を２次元に配列した例を示す平面図である。
【図２２】表面に凹凸構造が形成された複数のフォトルミネッセンス層１１０が積層された構造を有する発光素子の一例を示す図である。
【図２３】フォトルミネッセンス層１１０と周期構造１２０との間に保護層１５０を設けた構成例を示す断面図である。
【図２４】フォトルミネッセンス層１１０の一部のみを加工することによって周期構造１２０を形成した例を示す図である。
【図２５】周期構造を有するガラス基板上に形成されたフォトルミネッセンス層の断面ＴＥＭ像を示す図である。
【図２６】試作した発光素子の出射光の正面方向のスペクトルを測定した結果を示すグラフである。
【図２７Ａ】ＴＭモードの直線偏光を出射する発光素子を、１次元周期構造１２０のライン方向と平行な軸を回転軸として回転させている状況を示す図である。
【図２７Ｂ】試作した発光素子を図２７Ａに示すように回転させたときの出射光の角度依存性を測定した結果を示すグラフである。
【図２７Ｃ】試作した発光素子を図２７Ａに示すように回転させたときの出射光の角度依存性を計算した結果を示すグラフである。
【図２７Ｄ】ＴＥモードの直線偏光を出射する発光素子を、１次元周期構造１２０のライン方向と平行な軸を回転軸として回転させている状況を示す図である。
【図２７Ｅ】試作した発光素子を図２７Ｄに示すように回転させたときの出射光の角度依存性を測定した結果を示すグラフである。
【図２７Ｆ】試作した発光素子を図２７Ｄに示すように回転させたときの出射光の角度依存性を計算した結果を示すグラフである。
【図２８Ａ】ＴＥモードの直線偏光を出射する発光素子を、１次元周期構造１２０のライン方向に垂直な軸を回転軸として回転させている状況を示す図である。
【図２８Ｂ】試作した発光素子を図２８Ａに示すように回転させたときの出射光の角度依存性を測定した結果を示すグラフである。
【図２８Ｃ】試作した発光素子を図２８Ａに示すように回転させたときの出射光の角度依存性を計算した結果を示すグラフである。
【図２８Ｄ】ＴＭモードの直線偏光を出射する発光素子を、１次元周期構造１２０のライン方向と平行な軸を回転軸として回転させている状況を示す図である。
【図２８Ｅ】試作した発光素子を図２８Ｄに示すように回転させたときの出射光の角度依存性を測定した結果を示すグラフである。
【図２８Ｆ】試作した発光素子を図２８Ｄに示すように回転させたときの出射光の角度依存性を計算した結果を示すグラフである。
【図２９】試作した発光素子の出射光（波長６１０ｎｍ）の角度依存性を測定した結果を示すグラフである。
【図３０】スラブ型導波路の一例を模式的に示す斜視図である。
【図３１】フォトルミネッセンス層１１０上に周期構造１２０を有する発光素子における発光増強効果を受ける光の波長および出射方向との関係を説明するための模式図である。
【図３２Ａ】発光増強効果を示す波長が異なる複数の周期構造を配列した構成の例を示す模式的な平面図である。
【図３２Ｂ】１次元周期構造の凸部が延びる方位が異なる複数の周期構造を配列した構成の例を示す模式的な平面図である。
【図３２Ｃ】複数の２次元周期構造を配列した構成の例を示す模式的な平面図である。
【図３３】マイクロレンズを備える発光素子の模式的な断面図である。
【図３４Ａ】発光波長が異なる複数のフォトルミネッセンス層を有する発光素子の模式的な断面図である。
【図３４Ｂ】発光波長が異なる複数のフォトルミネッセンス層を有する他の発光素子の模式的な断面図である。
【図３５】本開示の実施形態に係る例示的な表示装置を示す模式的な平面図である。
【図３６】図３５に示すＡ−Ａ’線に沿って表示装置３００を切断したときの模式的な断面図である。
【図３７】本開示の他の実施形態に係る例示的な表示装置を示す模式的な平面図である。
【図３８】図３７に示すＢ−Ｂ’線に沿って表示装置３１０を切断したときの模式的な断面図である。
【図３９】表示装置３１０における発光素子の配列の一例を示す模式的な平面図である。
【図４０】図３９に示すＣ−Ｃ’線に沿って表示装置３１０を切断したときの模式的な断面図である。
【図４１】所望の画素を選択的に発光させる構成の第１の例を示す模式図である。
【図４２】所望の画素を選択的に発光させる構成の第２の例を示す模式的な断面図である。
【図４３】所望の画素を選択的に発光させる構成の第３の例を示す模式的な断面図である。
【図４４】多言語表示システムの一例を示す図である。
【図４５】交通情報表示システムの一例を示す図である。
【図４６】交通情報表示システム４２０における表示装置３１０を、空港、駅などの通路の壁面に設置した例を示す図である。
【図４７】多視点表示システムの一例を示す図である。
【図４８】多視点表示システムの一例を示す図である。
【図４９】多画面表示システムの一例を示す図である。
【図５０】複数の凸部および複数の凹部の少なくとも一方を有する表面構造の一例を示す模式的な断面図である。
【発明を実施するための形態】
【００１０】
［１．本開示の実施形態の概要］
本開示は、以下の項目に記載の表示装置を含む。
【００１１】
［項目１］
空気中の波長がλ１aの第１の光を発する第１フォトルミネッセンス層を有する第１発光素子、および、第２フォトルミネッセンス層を有する第２発光素子の配列を含む表示面を備え、
第１発光素子は、さらに、
第１フォトルミネッセンス層に近接して配置された第１透光層と、
第１フォトルミネッセンス層および第１透光層の少なくとも一方の表面に形成され、複数の凸部および複数の凹部の少なくとも一方を含む第１表面構造と、を有し、
第１表面構造は、第１の光の指向角を制限する、表示装置。
【００１２】
［項目２］
空気中の波長がλ１aの第１の光を発する第１フォトルミネッセンス層を有する第１発光素子、および、第２フォトルミネッセンス層を有する第２発光素子の配列を含む表示面を備え、
第１発光素子は、さらに、
第１透光層と、
第１透光層の表面に形成され、複数の凸部および複数の凹部の少なくとも一方を含む第１表面構造と、を有し、
第１フォトルミネッセンス層は、第１表面構造に近接して配置されており、
第１表面構造は、第１の光の指向角を制限する、表示装置。
【００１３】
［項目３］
空気中の波長がλ１aの第１の光を発する第１フォトルミネッセンス層を有する第１発光素子、および、第２フォトルミネッセンス層を有する第２発光素子の配列を含む表示面を備え、
第１発光素子は、さらに、
第１フォトルミネッセンス層よりも高い屈折率を有する第１透光層と、
第１透光層の表面に形成され、複数の凸部および複数の凹部の少なくとも一方を含む第１表面構造と、を有し、
第１表面構造は、第１の光の指向角を制限する、表示装置。
【００１４】
［項目４］
第１フォトルミネッセンス層と第１透光層とが互いに接している、項目１から３のいずれかに記載の表示装置。
【００１５】
［項目５］
空気中の波長がλ１aの第１の光を発する第１フォトルミネッセンス層を有する第１発光素子、および、第２フォトルミネッセンス層を有する第２発光素子の配列を含む表示面を備え、
第１発光素子は、さらに、
第１フォトルミネッセンス層の表面に形成され、複数の凸部および複数の凹部の少なくとも一方を含む第１表面構造を有し、
第１表面構造は、第１の光の指向角を制限する、表示装置。
【００１６】
［項目６］
第１表面構造は、第１の光の指向角を、１５°未満に制限する、項目１から５のいずれかに記載の表示装置。
【００１７】
［項目７］
第２フォトルミネッセンス層は、空気中の波長がλ１aの第２の光を含む光を発し、
第１の光の指向角は、第２の光の指向角よりも小さい、項目１から６のいずれかに記載の表示装置。
【００１８】
［項目８］
第２フォトルミネッセンス層は、波長λ１aとは異なる、空気中の波長がλ２aの第２の光を発し、
第１の光の指向角は、第２の光の指向角よりも小さい、項目１から６のいずれかに記載の表示装置。
【００１９】
［項目９］
第１表面構造は、第１の光の強度を、第１表面構造によって予め決められた第１の方向において最大にし、
第２発光素子は、さらに、
第２フォトルミネッセンス層に近接して配置された第２透光層と、
第２フォトルミネッセンス層および第２透光層の少なくとも一方の表面に形成され、複数の凸部および複数の凹部の少なくとも一方を含む第２表面構造と、を有し、
第２表面構造は、第２の光の指向角を制限し、かつ、第２の光の強度を、第２表面構造によって予め決められた、第１の方向とは異なる第２の方向において最大にする、項目７または８に記載の表示装置。
【００２０】
［項目１０］
第１表面構造は、第１の光の強度を、第１表面構造によって予め決められた第１の方向において最大にし、
第２発光素子は、さらに、
第２透光層と、
第２透光層の表面に形成され、複数の凸部および複数の凹部の少なくとも一方を含む第２表面構造と、を有し、
第２フォトルミネッセンス層は、第２表面構造に近接して配置されており、
第２表面構造は、第２の光の指向角を制限し、かつ、第２の光の強度を、第２表面構造によって予め決められた、第１の方向とは異なる第２の方向において最大にする、項目７または８に記載の表示装置。
【００２１】
［項目１１］
第１表面構造は、第１の光の強度を、第１表面構造によって予め決められた第１の方向において最大にし、
第２発光素子は、さらに、
第２フォトルミネッセンス層よりも高い屈折率を有する第２透光層と、
第２透光層の表面に形成され、複数の凸部および複数の凹部の少なくとも一方を含む第２表面構造と、を有し、
第２表面構造は、第２の光の指向角を制限し、かつ、第２の光の強度を、第２表面構造によって予め決められた、第１の方向とは異なる第２の方向において最大にする、項目７または８に記載の表示装置。
【００２２】
［項目１２］
第２フォトルミネッセンス層と第２透光層とが互いに接している、項目９から１１のいずれかに記載の表示装置。
【００２３】
［項目１３］
第１表面構造は、第１の光の強度を、第１表面構造によって予め決められた第１の方向において最大にし、
第２発光素子は、さらに、
第２フォトルミネッセンス層の表面に形成され、複数の凸部および複数の凹部の少なくとも一方を含む第２表面構造と、を有し、
第２表面構造は、第２の光の指向角を制限し、かつ、第２の光の強度を、第２表面構造によって予め決められた、第１の方向とは異なる第２の方向において最大にする、項目７または８に記載の表示装置。
【００２４】
［項目１４］
第２表面構造は、第２の光の指向角を、１５°未満に制限する、項目９から１３のいずれかに記載の表示装置。
【００２５】
［項目１５］
第２の光の第２の方向を基準としたときの指向角は、１５°未満である、項目１３に記載の表示装置。
【００２６】
［項目１６］
第１の光の第１の方向を基準としたときの指向角は、１５°未満である、項目１３に記載の表示装置。
【００２７】
［項目１７］
第２表面構造は、第２の光の強度を、第２表面構造によって予め決められた第２の方向において最大にする擬似導波モードを、第２フォトルミネッセンス層の内部に形成する、項目９から１６のいずれかに記載の表示装置。
【００２８】
［項目１８］
第２表面構造における隣接する２つの凸部間または隣接する２つの凹部間の距離をＤ２intとし、第２の光に対する第２フォトルミネッセンス層の屈折率をｎ２wavとすると、λ１a／ｎ２wav＜Ｄ２int＜λ１aまたはλ２a／ｎ２wav＜Ｄ２int＜λ２aの関係が成り立つ、項目９から１７のいずれかに記載の表示装置。
【００２９】
［項目１９］
第２表面構造は、少なくとも１つの周期構造を有し、
第２表面構造における少なくとも１つの周期構造の周期をｐ２とし、第２の光に対する第２フォトルミネッセンス層の屈折率をｎ２wavとすると、λ１a／ｎ２wav＜ｐ２＜λ１aまたはλ２a／ｎ２wav＜ｐ２＜λ２aの関係が成り立つ、項目９から１８のいずれかに記載の表示装置。
【００３０】
［項目２０］
第２の光の光路上に配置された光学シャッタを有する、項目７から１９のいずれかに記載の表示装置。
【００３１】
［項目２１］
第１の光の少なくとも一部または第２の光の少なくとも一部を反射するミラーを有する、項目９から２０のいずれかに記載の表示装置。
【００３２】
［項目２２］
第１表面構造は、第１の光の強度を、第１表面構造によって予め決められた第１の方向において最大にする擬似導波モードを、第１フォトルミネッセンス層の内部に形成する、項目１から２１のいずれかに記載の表示装置。
【００３３】
［項目２３］
第１表面構造における隣接する２つの凸部間または隣接する２つの凹部間の距離をＤ１intとし、第１の光に対する第１フォトルミネッセンス層の屈折率をｎ１wavとすると、λ１a／ｎ１wav＜Ｄ１int＜λ１aの関係が成り立つ、項目１から２２のいずれかに記載の表示装置。
【００３４】
［項目２４］
第１表面構造は、少なくとも１つの周期構造を有し、
第１表面構造における少なくとも１つの周期構造の周期をｐ１とし、第１の光に対する第１フォトルミネッセンス層の屈折率をｎ１wavとすると、λ１a／ｎ１wav＜ｐ１＜λ１aの関係が成り立つ、項目１から２３のいずれかに記載の表示装置。
【００３５】
［項目２５］
第１の光の光路上に配置された光学シャッタを有する、項目１から２４のいずれかに記載の表示装置。
【００３６】
［項目２６］
第１発光素子および第２発光素子の少なくとも一方に励起光を入射させる少なくとも１つの励起光源を有する、項目１から２５のいずれかに記載の表示装置。
【００３７】
［項目２７］
少なくとも１つの励起光源は、
第１発光素子に励起光を入射させる第１励起光源と、
第２発光素子に励起光を入射させる第２励起光源と、を含む、項目１から２６のいずれかに記載の表示装置。
【００３８】
本開示の実施形態による表示装置は、少なくとも、第１フォトルミネッセンス層を有する第１発光素子および第２フォトルミネッセンス層を有する第２発光素子が配列された表示面を有する。第１フォトルミネッセンス層および第２フォトルミネッセンス層は、励起光によって光を発する。第１発光素子における第１フォトルミネッセンス層は、励起光を受けて空気中の波長がλ１aの光を発する。以下では、第１フォトルミネッセンス層および第２フォトルミネッセンス層を区別せずに単に「フォトルミネッセンス層」と呼ぶことがある。
【００３９】
ある態様において、第１発光素子は、第１フォトルミネッセンス層に近接して配置された透光層と、第１フォトルミネッセンス層および透光層の少なくとも一方の表面に形成され、複数の凸部および複数の凹部の少なくとも一方を含む表面構造とを有する。表面構造は、第１フォトルミネッセンス層が発する空気中の波長がλ１aの光の指向角を制限する。波長λ１aは、例えば、可視光の波長範囲内（例えば、３８０ｎｍ以上７８０ｎｍ以下）にある。赤外線を利用する用途では、波長λ１aは、７８０ｎｍを超える場合もあり得る。一方、紫外線を利用する用途では、波長λ１aは、３８０ｎｍ未満の場合もあり得る。本開示では、赤外線および紫外線を含めた電磁波全般を、便宜上「光」と表現する。
【００４０】
ある態様において、第２発光素子は、第１発光素子と同様に、第２フォトルミネッセンス層に近接して配置された透光層と、第２フォトルミネッセンス層および透光層の少なくとも一方の表面に形成され、複数の凸部および複数の凹部の少なくとも一方を含む表面構造とを有し得る。以下では、第１発光素子における透光層および第２発光素子における透光層を区別せずに単に「透光層」と呼ぶことがある。
【００４１】
第２フォトルミネッセンス層は、励起光を受けることによって発光する。このときに出射される光は、空気中の波長がλ１aの光を含む。あるいは、第２フォトルミネッセンス層は、励起光を受けて、波長λ１aとは異なる、空気中の波長がλ２aの光を発する。波長λ２aの範囲は、波長λ１aの範囲と同様であり得る。第２発光素子における表面構造は、第２フォトルミネッセンス層が発する空気中の波長がλ１aの光の指向角、または、空気中の波長がλ２aの光の指向角を制限する。
【００４２】
フォトルミネッセンス層は、フォトルミネッセンス材料を含む。フォトルミネッセンス材料は、励起光を受けて発光する材料を意味する。フォトルミネッセンス材料は、狭義の蛍光材料および燐光材料を包含し、無機材料だけなく、有機材料（例えば色素）を包含し、さらには、量子ドット（即ち、半導体微粒子）を包含する。フォトルミネッセンス層は、フォトルミネッセンス材料に加えて、マトリクス材料（即ち、ホスト材料）を含んでもよい。マトリクス材料は、例えば、ガラスや酸化物などの無機材料や樹脂である。
【００４３】
フォトルミネッセンス層に近接して配置される透光層は、フォトルミネッセンス層が発する光に対して透過率が高い材料、例えば、無機材料や樹脂で形成される。透光層は、例えば誘電体（特に、光の吸収が少ない絶縁体）で形成され得る。透光層は、例えば、第１フォトルミネッセンス層および／または第２フォトルミネッセンス層を支持する基板であってよい。フォトルミネッセンス層の空気側の表面がサブミクロン構造を有する場合、空気層が透光層となり得る。
【００４４】
第１発光素子および第２発光素子のうち、少なくとも、第１発光素子の第１フォトルミネッセンス層および透光層の少なくとも一方の表面には、表面構造が形成される。この表面構造は、複数の凸部および複数の凹部の少なくとも一方を含む。ある態様では、第２発光素子の第２フォトルミネッセンス層および透光層の少なくとも一方の表面にも表面構造が形成される。ここで「表面」とは、他の物質と接している部分（即ち界面）を意味する。透光層が空気等の気体の層である場合は、その気体の層と他の物質（例えばフォトルミネッセンス層）との間の界面が、透光層の表面である。この表面構造は、「凹凸構造」と称することもできる。表面構造は、典型的には、複数の凸部または複数の凹部が一次元または二次元に周期的に配列された部分を含む。そのような表面構造は、「周期構造」と称することができる。複数の凸部および複数の凹部は、互いに接する２つの屈折率の異なる部材（または媒質）の境界に形成される。したがって、「周期構造」は、ある方向に屈折率が周期的に変動する部分を含む構造といえる。ここで「周期的」とは、厳密に周期的である態様に限定されず、近似的に周期的であるといえる態様を含む。本明細書において、連続する複数の凸部または凹部のうち、隣接する２つの中心間の距離（以下、「中心間隔」と称することがある。）が、いずれの２つの隣接する凸部または凹部についても、ある値ｐの±１５％以内の範囲に収まっているとき、その部分は、周期ｐを有する周期構造であると考える。
【００４５】
本明細書において「凸部」は、基準の高さの部分に対して盛り上がった部分を意味する。「凹部」は、基準の高さの部分に対して窪んだ部分を意味する。凸部および凹部の形状、サイズ、分布によっては、いずれが凸部でいずれが凹部かが容易に判断できない場合があり得る。例えば、図５０に示す断面図では、部材６１０が凹部を有し、部材６２０が凸部を有していると解釈することもできれば、その逆の解釈も可能である。どのように解釈したとしても、部材６１０および部材６２０の各々が、複数の凸部および凹部の少なくとも一方を有するといえることには変わりはない。
【００４６】
表面構造における隣接する２つの凸部または隣接する２つの凹部の中心間の距離（周期構造においては周期ｐ）は、典型的にはフォトルミネッセンス層が発する光の空気中における波長λ１aまたはλ２aよりも短い。フォトルミネッセンス層から発せられる光が可視光、短波長の近赤外線、または紫外線の場合、その距離はマイクロメートルのオーダー（即ちミクロンオーダー）よりも短い。よって、そのような表面構造を、「サブミクロン構造」と称することがある。「サブミクロン構造」が一部に１マイクロメートル（μｍ）を超える中心間隔または周期を有する部分を含んでいてもよい。以下の説明では、可視光を発するフォトルミネッセンス層を主に想定し、表面構造を意味する用語として「サブミクロン構造」の用語を主に用いる。しかし、サブミクロンオーダーを超える微細構造（例えば、赤外線を利用する用途で使用されるミクロンオーダーの微細構造）を有する表面構造についても、以下の議論は全く同様に成立する。
【００４７】
本開示の実施形態による表示装置においては、後に計算結果および実験結果を参照して詳述するように、フォトルミネッセンス層および透光層の内部に、ユニークな電場分布を形成する。これは、導波光がサブミクロン構造（即ち表面構造）と相互作用して形成される。このような電場分布を形成する光のモードを「擬似導波モード」と表現することができる。この擬似導波モードを活用することで、以下で説明するように、フォトルミネッセンスの発光効率の増大、指向性の向上、偏光の選択性の効果を得ることができる。なお、以下の説明において、擬似導波モードという用語を使って、本発明者が見出した、新規な構成および／または新規なメカニズムを説明することがある。その説明は、１つの例示的な説明に過ぎず、本開示をいかなる意味においても限定するものではない。
【００４８】
サブミクロン構造は、例えば複数の凸部を含み、隣接する凸部間の中心間距離をＤintとすると、λ１a／ｎwav＜Ｄint＜λ１aの関係を満足し得る。あるいは、サブミクロン構造は、λ２a／ｎwav＜Ｄint＜波長λ２aの関係を満足し得る。サブミクロン構造は、複数の凸部に代えて複数の凹部を含んでもよい。以下では、簡単のために、サブミクロン構造が複数の凸部を有するものとして説明する。λは光の波長を表し、λ１aおよび波長λ２aにおける下付きのａは、空気中での光の波長であることを表現する。ｎwavは、フォトルミネッセンス層の屈折率である。フォトルミネッセンス層が複数の材料を混合した媒質である場合、各材料の屈折率をそれぞれの体積比率で重み付けした平均屈折率をｎwavとする。一般に屈折率ｎは波長に依存するので、例えばλ１aの光に対する屈折率であることをｎwav-1aなどと明示することが望ましいが、簡単のためにｎwavと表記することがある。ｎwavは基本的にフォトルミネッセンス層の屈折率であるが、フォトルミネッセンス層に隣接する層の屈折率がフォトルミネッセンス層の屈折率よりも大きい場合、当該屈折率が大きい層の屈折率およびフォトルミネッセンス層の屈折率をそれぞれの体積比率で重み付けした平均屈折率をｎwavとする。この場合は、光学的には、フォトルミネッセンス層が複数の異なる材料の層で構成されている場合と等価であるからである。
【００４９】
擬似導波モードの光に対する媒質の有効屈折率をｎeffとすると、ｎa＜ｎeff＜ｎwavを満たす。ここで、ｎaは空気の屈折率である。擬似導波モードの光を、フォトルミネッセンス層の内部を入射角θで全反射しながら伝搬する光であると考えると、有効屈折率ｎeffは、ｎeff＝ｎwavｓｉｎθと書ける。また、有効屈折率ｎeffは、擬似導波モードの電場が分布する領域に存在する媒質の屈折率によって決まるので、例えば、サブミクロン構造が透光層に形成されている場合、フォトルミネッセンス層の屈折率だけでなく、透光層の屈折率にも依存する。また、擬似導波モードの偏光方向（ＴＥモードとＴＭモード）により、電場の分布は異なるので、ＴＥモードとＴＭモードとでは有効屈折率ｎeffは異なり得る。
【００５０】
サブミクロン構造は、フォトルミネッセンス層および透光層の少なくとも一方に形成される。フォトルミネッセンス層と透光層とが互いに接するとき、フォトルミネッセンス層と透光層との界面にサブミクロン構造が形成されてもよい。このとき、フォトルミネッセンス層および透光層がサブミクロン構造を有する。フォトルミネッセンス層はサブミクロン構造を有さなくてもよい。このとき、サブミクロン構造を有する透光層がフォトルミネッセンス層に近接して配置される。ここで、透光層（またはそのサブミクロン構造）がフォトルミネッセンス層に近接するとは、典型的には、これらの間の距離が、波長λ１aまたはλ２aの半分以下であることをいう。これにより、導波モードの電場がサブミクロン構造に到達し、擬似導波モードが形成される。ただし、透光層の屈折率がフォトルミネッセンス層の屈折率よりも大きいときには上記の関係を満足しなくても透光層まで光が到達するため、透光層のサブミクロン構造とフォトルミネッセンス層との間の距離は、波長λ１aの半分超または波長λ２aの半分超であってもよい。本明細書では、フォトルミネッセンス層と透光層とが、導波モードの電場がサブミクロン構造に到達し、擬似導波モードが形成されるような配置関係にあるとき、両者が互いに関連付けられていると表現することがある。
【００５１】
サブミクロン構造が、上記のように、λ１a／ｎwav＜Ｄint＜λ１aまたはλ２a／ｎwav＜Ｄint＜λ２aの関係を満足するとき、可視光を利用する用途では、サブミクロンオーダーの大きさで特徴づけられる。サブミクロン構造は、例えば、以下に詳細に説明する実施形態の発光素子におけるように、少なくとも１つの周期構造を含み得る。少なくとも１つの周期構造は、周期をｐとすると、λ１a／ｎwav＜ｐ＜λ１aまたはλ１a／ｎwav＜ｐ＜λ２aの関係が成り立つ。すなわち、サブミクロン構造は、隣接する凸部間の距離Ｄintがｐaで一定の周期構造を含み得る。サブミクロン構造がこのような周期構造を含むと、擬似導波モードの光は、伝搬しながら周期構造と相互作用を繰り返すことにより、サブミクロン構造によって回折される。これは、自由空間を伝播する光が周期構造により回折する現象とは異なり、光が導波しながら（即ち、全反射を繰り返しながら）周期構造と作用する現象である。したがって、周期構造による位相シフトが小さくても（即ち、周期構造の高さが小さくても）効率よく光の回折を起こすことができる。
【００５２】
以上のようなメカニズムを利用すれば、擬似導波モードにより電場が増強される効果によって、フォトルミネッセンスの発光効率が増大するとともに、発生した光が擬似導波モードに結合する。擬似導波モードの光は、周期構造で規定される回折角度だけ進行角度が曲げられる。これを利用することによって、特定の波長の光を特定の方向に出射することができる。すなわち、周期構造が存在しない場合と比較して、指向性が顕著に向上する。さらに、ＴＥモードとＴＭモードとで有効屈折率ｎeff（＝ｎwavｓｉｎθ）が異なるので、高い偏光の選択性を同時に得ることもできる。例えば、後に実験例を示すように、特定の波長（例えば６１０ｎｍ）の直線偏光（例えばＴＭモード）を正面方向に強く出射する発光素子を得ることができる。このとき、正面方向に出射する光の指向角は例えば１５°未満である。ここで「指向角」とは、出射する特定の波長の直線偏光について、強度が最大である方向と、強度が最大強度の５０％になる方向との間の角度と定義される。すなわち、指向角は強度が最大である方向を０°とした場合の片側の角度である。このように、本開示の実施形態における周期構造（即ち表面構造）は、特定の波長（例えばλ１aまたはλ２a）の光の指向角を制限する。言い換えれば、当該波長の光の配光を、周期構造がない場合と比較して狭角にする。このような、周期構造が存在しない場合と比較して指向角が低減された配光を、「狭角配光」と称することがある。本開示の実施形態における周期構造は、波長λ１aの光または波長λ２aの光の指向角を制限する。ただし、例えば波長λ１aの光の指向角が制限される場合において、周期構造は、波長λ１aの光の全てを狭角に出射するのではない。例えば後述する図２９に示す例では、強度が最大になる方向から離れた角度（例えば２０°〜７０°）の方向にも波長λ１aの光が僅かに出射する。しかし、全体的には、波長λ１aの出射光が０°〜２０°の範囲に集中しており、指向角が制限されている。波長λ２aの光についても同様のことがいえる。波長λ２aの光の指向角が制限される場合、波長λ２aの光は、強度が最大になる方向から離れた角度の方向にも僅かに出射し得る。
【００５３】
なお、本開示の典型的な実施形態における周期構造は、一般的な回折格子とは異なり、指向角の制限を受ける光の波長（ここではλ１aまたはλ２a）よりも短い周期を有する。一般的な回折格子は、光の波長（例えばλ１aおよびλ２a）よりも十分に長い周期を有し、その結果、特定の波長の光を０次光（即ち透過光）、±１次回折光などの複数の回折光に分けて出射させる。そのような回折格子は、高次の回折光が０次光の両側に発生する。回折格子における、０次光の両側に発生する高次の回折光は、狭角配光の実現を困難にする。言い換えれば、従来の回折格子は、光の指向角を所定の角度（例えば１５°程度）に制限するという本開示の実施形態における発光素子に特有の効果を奏しない。この点で、本開示の実施形態における周期構造は、従来の回折格子とは顕著に異なる性質を有する。
【００５４】
サブミクロン構造の周期性が低くなると、指向性、発光効率、偏光度および波長選択性が弱くなる。必要に応じて、サブミクロン構造の周期性を調整すればよい。周期構造は、偏光の選択性が高い１次元周期構造であってもよいし、偏光度を小さくできる２次元周期構造であってもよい。
【００５５】
サブミクロン構造は、複数の周期構造を含み得る。複数の周期構造は、例えば、周期（ピッチ）が互いに異なる。あるいは、複数の周期構造は、例えば、周期性を有する方向（軸）が互いに異なる。複数の周期構造は、同一面内に形成されてもよいし、積層されてもよい。もちろん、発光素子は、複数のフォトルミネッセンス層と複数の透光層とを有し、これらが複数のサブミクロン構造を有してもよい。
【００５６】
サブミクロン構造は、フォトルミネッセンス層が発する光を制御するためだけでなく、励起光を効率よくフォトルミネッセンス層に導くためにも用いることができる。すなわち、励起光がサブミクロン構造により回折されフォトルミネッセンス層および透光層を導波する擬似導波モードに結合することで、効率よくフォトルミネッセンス層を励起することができる。フォトルミネッセンス材料を励起する光の空気中における波長をλexとし、この励起光に対するフォトルミネッセンス層の屈折率をｎwav-exとすると、λex／ｎwav-ex＜Ｄint＜λexの関係が成り立つサブミクロン構造を用いればよい。ｎwav-exはフォトルミネッセンス材料の励起波長における屈折率である。周期をｐexとすると、λex／ｎwav-ex＜ｐex＜λexの関係が成り立つ周期構造を有するサブミクロン構造を用いてもよい。励起光の波長λexは、例えば、４５０ｎｍであるが、可視光よりも短波長であってもよい。励起光の波長が可視光の範囲内にある場合、フォトルミネッセンス層が発する光とともに、励起光を出射するようにしてもよい。
【００５７】
［２．本開示の基礎となった知見］
本開示の具体的な実施形態を説明する前に、まず、本開示の基礎となった知見を説明し、続けて、表示装置の例示的な構成を説明する。上述のように、蛍光灯、白色ＬＥＤなどで使われるフォトルミネッセンス材料は等方的に発光する。特定の方向を光で照らすためには、リフレクターやレンズなどの光学部品が必要である。しかしながら、もしフォトルミネッセンス層自身が指向性をもって発光すれば、上記のような光学部品は不要になる（若しくは小さくできる）。これにより、光学デバイスや器具の大きさを大幅に小さくすることができる。本発明者は、このような着想に基づき、指向性発光を得るために、フォトルミネッセンス層の構成を詳細に検討した。
【００５８】
本発明者は、まず、フォトルミネッセンス層からの光が特定の方向に偏るようにするため、発光自体に特定の方向性をもたせることを考えた。発光を特徴付ける指標である発光レートΓは、フェルミの黄金則により、以下の式（１）で表される。
【数１】
2016029481.tif 000003
【００５９】
式（１）において、ｒは位置を表すベクトル、λは光の波長、ｄは双極子ベクトル、Ｅは電場ベクトル、ρは状態密度である。一部の結晶性物質を除く多くの物質では、双極子ベクトルｄはランダムな方向性を有している。また、フォトルミネッセンス層のサイズと厚さが光の波長よりも十分に大きい場合、電場Ｅの大きさも向きに依らずほとんど一定である。よって、ほとんどの場合、＜（ｄ・Ｅ（ｒ））＞2の値は方向に依らない。即ち、発光レートΓは方向に依らず一定である。このため、ほとんどの場合においてフォトルミネッセンス層は等方的に発光する。
【００６０】
一方、式（１）から、異方的な発光を得るためには、双極子ベクトルｄを特定の方向に揃えるか、電場ベクトルの特定方向の成分を増強するかのいずれかの工夫が必要である。これらのいずれかの工夫を行うことで、指向性発光を実現できる。本開示の実施形態では、フォトルミネッセンス層へ光を閉じ込める効果により、特定方向の電場成分が増強された擬似導波モードを利用する。そのための構成について検討し、詳細に分析した結果を以下に説明する。
【００６１】
［３．特定の方向の電場のみを強くする構成］
本願発明者は、電場が強い導波モードを用いて、発光の制御を行うことを考えた。導波構造自体がフォトルミネッセンス材料を含む構成とすることで、発生した光を導波モードに結合させることができる。しかし、ただ単にフォトルミネッセンス材料を用いて導波構造を形成しただけでは、発せられた光が導波モードとなるため、正面方向へはほとんど光は出てこない。そこで、本願発明者は、フォトルミネッセンス材料を含む導波路と周期構造とを組み合わせることを考えた。導波路に周期構造が近接し、光の電場が周期構造と重なりながら導波する場合、周期構造の作用により擬似導波モードが存在する。つまり、この擬似導波モードは、周期構造により制限された導波モードであり、電場振幅の腹が周期構造の周期と同じ周期で発生することを特徴とする。このモードは、光が導波構造に閉じ込められることにより特定方向への電場が強められたモードである。さらに、このモードは周期構造と相互作用することで、回折効果により特定方向の伝播光へと変換されるため、導波路外部へと光を出射することができる。さらに、擬似導波モード以外の光は導波路内に閉じ込められる効果が小さいため、電場は増強されない。よって、発光のほとんどは大きな電場成分を有する擬似導波モードへと結合することになる。
【００６２】
つまり、本願発明者は、周期構造が近接して設けられた導波路を、フォトルミネッセンス材料を含むフォトルミネッセンス層（あるいはフォトルミネッセンス層を有する導波層）によって構成することで、発生した光を、特定方向の伝播光に変換される擬似導波モードに結合させ、指向性のある光源を実現することを考えた。
【００６３】
導波構造の簡便な構成として、スラブ型導波路に着目した。スラブ型導波路とは、光の導波部分が平板構造を有する導波路のことである。図３０は、スラブ型導波路１１０Ｓの一例を模式的に示す斜視図である。導波路１１０Ｓの屈折率が導波路１１０Ｓを支持する透明基板１４０の屈折率よりも高いとき、導波路１１０Ｓ内を伝播する光のモードが存在する。このようなスラブ型導波路をフォトルミネッセンス層を含む構成とすることで、発光点から生じた光の電場が導波モードの電場と大きく重なるので、フォトルミネッセンス層で生じた光の大部分を導波モードに結合させることができる。さらに、フォトルミネッセンス層の厚さを光の波長程度とすることにより、電場振幅の大きい導波モードのみが存在する状況を作り出すことができる。
【００６４】
さらに、フォトルミネッセンス層に周期構造が近接する場合には、導波モードの電場が周期構造と相互作用することで擬似導波モードが形成される。フォトルミネッセンス層が複数の層で構成されている場合でも、導波モードの電場が周期構造に達していれば、擬似導波モードが形成されることになる。フォトルミネッセンス層の全てがフォトルミネッセンス材料である必要はなく、その少なくとも一部の領域が発光する機能を有していればよい。
【００６５】
周期構造を金属で形成した場合には、導波モードとプラズモン共鳴の効果によるモードが形成される。このモードは、上で述べた擬似導波モードとは異なる性質を有する。また、このモードは金属による吸収が大きいためロスが大きくなり、発光増強の効果は小さくなる。したがって、周期構造としては、吸収の少ない誘電体を用いるのが望ましい。
【００６６】
本発明者は、まずこのような導波路の表面に、周期構造を形成することで、特定の角度方向の伝播光として出射することのできる擬似導波モードに、発生した光を結合させることを検討した。図１Ａは、そのような導波路（例えば、フォトルミネッセンス層）１１０と周期構造（例えば、透光層の一部）１２０とを有する発光素子１００の一例を模式的に示す斜視図である。以下、透光層が周期構造を有している場合（即ち、透光層に周期的なサブミクロン構造が形成されている場合）、周期構造１２０を透光層１２０ということがある。この例では、周期構造１２０は、各々がｙ方向に延びるストライプ状の複数の凸部がｘ方向に等間隔に並んだ１次元周期構造である。図１Ｂは、この発光素子１００をｘｚ面に平行な平面で切断したときの断面図である。導波路１１０に接するように周期ｐの周期構造１２０を設けると、面内方向の波数ｋwavをもつ擬似導波モードは、導波路外の伝播光へと変換され、その波数ｋoutは以下の式（２）で表すことができる。
【数２】
2016029481.tif 000004
【００６７】
式（２）におけるｍは整数であり、回折の次数を表す。
【００６８】
ここで、簡単のため、近似的に導波路内を導波する光を角度θwavで伝播する光線であると考え、以下の式（３）および（４）が成立するとする。
【数３】
2016029481.tif 000005
【数４】
2016029481.tif 000006
【００６９】
これらの式において、λ0は光の空気中の波長、ｎwavは導波路の屈折率、ｎoutは出射側の媒質の屈折率、θoutは光が導波路外の基板または空気に出射するときの出射角度である。式（２）〜（４）から、出射角度θoutは、以下の式（５）で表すことができる。
【数５】
2016029481.tif 000007
【００７０】
式（５）より、ｎwavｓｉｎθwav＝ｍλ0／ｐが成立するとき、θout＝０となり、導波路の面に垂直な方向（即ち、正面）に光を出射させることができることがわかる。
【００７１】
以上のような原理に基づけば、発生した光を特定の擬似導波モードに結合させ、さらに周期構造を利用して特定の出射角度の光に変換することにより、その方向に強い光を出射させることができると考えられる。
【００７２】
上記のような状況を実現するためには、いくつかの制約条件がある。まず、擬似導波モードが存在するためには、導波路内で伝播する光が全反射することが必要である。このための条件は、以下の式（６）で表される。
【数６】
2016029481.tif 000008
【００７３】
この擬似導波モードを周期構造によって回折させて導波路外に光を出射させるためには、式（５）において−１＜ｓｉｎθout＜１である必要がある。よって、以下の式（７）を満足する必要がある。
【数７】
2016029481.tif 000009
【００７４】
これに対し、式（６）を考慮すると、以下の式（８）が成立すればよいことがわかる。
【数８】
2016029481.tif 000010
【００７５】
さらに、導波路１１０から出射される光の方向を正面方向（θout＝０）にするためには、式（５）から、以下の式（９）が必要であることがわかる。
【数９】
2016029481.tif 000011
【００７６】
式（９）および式（６）から、必要な条件は、以下の式（１０）であることがわかる。
【数１０】
2016029481.tif 000012
【００７７】
なお、図１Ａおよび図１Ｂに示すような周期構造を設けた場合には、ｍが２以上の高次の回折効率は低いため、ｍ＝１である１次の回折光を主眼に設計すると良い。このため、本開示の実施形態における周期構造の典型例では、ｍ＝１として、式（１０）を変形した以下の式（１１）を満足するように周期ｐが決定される。
【数１１】
2016029481.tif 000013
【００７８】
図１Ａおよび図１Ｂに示すように、導波路（フォトルミネッセンス層）１１０が透明基板に接していない場合には、ｎoutは空気の屈折率（約１．０）となるため、以下の式（１２）を満足するように周期ｐを決定すればよい。
【数１２】
2016029481.tif 000014
【００７９】
一方、図１Ｃおよび図１Ｄに例示するような透明基板１４０上にフォトルミネッセンス層１１０および周期構造１２０を形成した構造を採用してもよい。この場合には、透明基板１４０の屈折率ｎsが空気の屈折率よりも大きいことから、式（１１）においてｎout＝ｎsとした次式（１３）を満足するように周期ｐを決定すればよい。
【数１３】
2016029481.tif 000015
【００８０】
なお、式（１２）、（１３）では、式（１０）においてｍ＝１の場合を想定したが、ｍ≧２であってもよい。すなわち、図１Ａおよび図１Ｂに示すように発光素子１００の両面が空気層に接している場合には、ｍを１以上の整数として、以下の式（１４）を満足するように周期ｐが設定されていればよい。
【数１４】
2016029481.tif 000016
【００８１】
同様に、図１Ｃおよび図１Ｄに示す発光素子１００ａのようにフォトルミネッセンス層１１０が透明基板１４０上に形成されている場合には、以下の式（１５）を満足するように周期ｐが設定されていればよい。
【数１５】
2016029481.tif 000017
【００８２】
以上の不等式を満足するように周期構造の周期ｐを決定することにより、フォトルミネッセンス層１１０から発生した光を正面方向に出射させることができるため、指向性を有する発光素子を実現できる。
【００８３】
［４．計算による検証］
［４−１．周期、波長依存性］
本発明者は、以上のような特定方向への光の出射が実際に可能であるかを光学解析によって検証した。光学解析は、サイバネット社のDiffractMODを用いた計算によって行った。これらの計算では、発光素子に対して外部から垂直に光を入射したときに、フォトルミネッセンス層における光の吸収の増減を計算することで、外部へ垂直に出射する光の増強度を求めた。外部から入射した光が擬似導波モードに結合しフォトルミネッセンス層で吸収されるという過程は、フォトルミネッセンス層における発光が擬似導波モードへと結合し、外部へ垂直に出射する伝播光へと変換される過程と逆の過程を計算していることに対応する。また、擬似導波モードの電場分布の計算においても、同様に外部から光を入射した場合における電場を計算した。
【００８４】
フォトルミネッセンス層の膜厚を１μｍ、フォトルミネッセンス層の屈折率をｎwav＝１．８、周期構造の高さを５０ｎｍ、周期構造の屈折率を１．５とし、発光波長および周期構造の周期をそれぞれ変えて、正面方向に出射する光の増強度を計算した結果を図２に示す。計算モデルは、図１Ａに示すように、ｙ方向には均一な１次元周期構造とし、光の偏光はｙ方向に平行な電場成分を有するＴＭモードであるとして計算を行った。図２の結果から、増強度のピークが、ある特定の波長と周期との組み合わせにおいて存在することがわかる。なお、図２において、増強度の大きさは色の濃淡で表されており、濃い（即ち黒い）方が増強度が大きく、淡い（即ち白い）方が増強度が小さい。
【００８５】
上記の計算において、周期構造の断面は、図１Ｂに示すような矩形であるものとしている。式（１０）におけるｍ＝１およびｍ＝３の条件を図示したグラフを図３に示す。図２と図３とを比較すると、図２におけるピーク位置はｍ＝１とｍ＝３に対応するところに存在することがわかる。ｍ＝１の方が強度が強いのは、３次以上の高次の回折光よりも１次の回折光の回折効率の方が高いからである。ｍ＝２のピークが存在しないのは、周期構造における回折効率が低いためである。
【００８６】
図３で示したｍ＝１およびｍ＝３のそれぞれに対応する領域内において、図２では複数のラインが存在することが確認できる。これは、擬似導波モードが複数存在するからであると考えられる。
【００８７】
［４−２．厚さ依存性］
図４は、フォトルミネッセンス層の屈折率をｎwav＝１．８、周期構造の周期を４００ｎｍ、高さを５０ｎｍ、屈折率を１．５とし、発光波長およびフォトルミネッセンス層の厚さｔを変えて正面方向に出力する光の増強度を計算した結果を示す図である。フォトルミネッセンス層の厚さｔが特定の値であるときに光の増強度がピークに達することがわかる。
【００８８】
図４においてピークが存在する波長６００ｎｍ、厚さｔ＝２３８ｎｍ、５３９ｎｍのときに、ｘ方向に導波するモードの電場分布を計算した結果を図５Ａおよび図５Ｂにそれぞれ示す。比較のため、ピークが存在しないｔ＝３００ｎｍの場合について同様の計算を行った結果を図５Ｃに示す。計算モデルは、上記と同様、ｙ方向に均一な１次元周期構造であるとした。各図において、黒い領域ほど電場強度が高く、白い領域ほど電場強度が低いことを表している。ｔ＝２３８ｎｍ、５３９ｎｍの場合には高い電場強度の分布があるのに対して、ｔ＝３００ｎｍでは全体的に電場強度が低い。これは、ｔ＝２３８ｎｍ、５３９ｎｍの場合には、導波モードが存在し、光が強く閉じ込められているからである。さらに、凸部または凸部の直下に電場が最も強い部分（腹）が必ず存在しており、周期構造１２０と相関のある電場が発生している特徴が見て取れる。つまり、周期構造１２０の配置に従って、導波するモードが得られていることがわかる。また、ｔ＝２３８ｎｍの場合とｔ＝５３９ｎｍの場合とを比較すると、ｚ方向の電場の節（白い部分）の数が１つだけ異なるモードであることが分かる。
【００８９】
［４−３．偏光依存性］
次に偏光依存性を確認するために、図２の計算と同じ条件で、光の偏光がｙ方向に垂直な電場成分を有するＴＥモードである場合について光の増強度の計算を行った。本計算の結果を図６に示す。ＴＭモードのとき（図２）に比べ、ピーク位置は多少変化しているものの、図３で示した領域内にピーク位置が納まっている。よって、導波路に近接して周期構造を設ける構成は、ＴＭモード、ＴＥモードのいずれの偏光についても有効であることが確認できた。
【００９０】
［４−４．２次元周期構造］
さらに、２次元の周期構造による効果の検討を行った。図７Ａは、ｘ方向およびｙ方向の両方向に凹部および凸部が配列された２次元の周期構造１２０’の一部を示す平面図である。図中の黒い領域が凸部、白い領域が凹部を示している。このような２次元周期構造では、ｘ方向とｙ方向の両方の回折を考慮する必要がある。ｘ方向のみ、あるいはｙ方向のみの回折に関しては１次元の場合と同様であるが、ｘ、ｙ両方の成分を有する方向（例えば、斜め４５°方向）の回折も存在するため、１次元の場合とは異なる結果が得られることが期待できる。このような２次元周期構造に関して光の増強度を計算した結果を図７Ｂに示す。周期構造以外の計算条件は図２の条件と同じである。図７Ｂに示すように、図２に示すＴＭモードのピーク位置に加えて、図６に示すＴＥモードにおけるピーク位置と一致するピーク位置も観測された。この結果は、２次元周期構造により、ＴＥモードも、回折により変換されて出力されていることを示している。また、２次元周期構造については、ｘ方向およびｙ方向の両方について、同時に１次の回折条件を満足する回折も考慮する必要がある。このような回折光は、周期ｐの√２倍（即ち、２1/2倍）の周期に対応する角度の方向に出射する。よって、１次元周期構造の場合のピークに加えて、周期ｐの√２倍の周期についてもピークが発生すると考えられる。図７Ｂでは、このようなピークも確認できる。
【００９１】
２次元周期構造としては、図７Ａに示すようなｘ方向およびｙ方向の周期が等しい正方格子の構造に限らず、図１８Ａおよび図１８Ｂのような六角形や三角形を並べた格子構造であってもよい。また、方位方向によって（例えば、正方格子の場合ｘ方向およびｙ方向）の周期が異なる構造であってもよい。
【００９２】
以上のように、周期構造とフォトルミネッセンス層とによって形成される特徴的な擬似導波モードの光を、周期構造による回折現象を利用して、正面方向にのみ選択的に出射できることが確認できた。このような構成で、フォトルミネッセンス層を紫外線や青色光などの励起光で励起させることにより、指向性を有する発光が得られる。
【００９３】
［５．周期構造およびフォトルミネッセンス層の構成の検討］
次に、周期構造およびフォトルミネッセンス層の構成や屈折率などの各種条件を変えたときの効果について説明する。
【００９４】
［５−１．周期構造の屈折率］
まず、周期構造の屈折率に関して検討を行った。フォトルミネッセンス層の膜厚を２００ｎｍ、フォトルミネッセンス層の屈折率をｎwav＝１．８、周期構造は図１Ａに示すようなｙ方向に均一な１次元周期構造とし、高さを５０ｎｍ、周期を４００ｎｍとし、光の偏光はｙ方向に平行な電場成分を有するＴＭモードであるものとして計算を行った。発光波長および周期構造の屈折率を変えて正面方向に出力する光の増強度を計算した結果を図８に示す。また、同様の条件でフォトルミネッセンス層の膜厚を１０００ｎｍにした場合の結果を図９に示す。
【００９５】
まず、フォトルミネッセンス層の膜厚に着目すると、膜厚が２００ｎｍの場合（図８）に比べ、膜厚が１０００ｎｍの場合（図９）のほうが、周期構造の屈折率の変化に対する光強度がピークとなる波長（ピーク波長と称する。）のシフトが小さいことがわかる。これは、フォトルミネッセンス層の膜厚が小さいほど、擬似導波モードが周期構造の屈折率の影響を受けやすいからである。即ち、周期構造の屈折率が高いほど、有効屈折率が大きくなり、その分ピーク波長が長波長側にシフトするが、この影響は、膜厚が小さいほど顕著になる。なお、有効屈折率は、擬似導波モードの電場が分布する領域に存在する媒質の屈折率によって決まる。
【００９６】
次に、周期構造の屈折率の変化に対するピークの変化に着目すると、屈折率が高いほどピークが広がり強度が下がっていることがわかる。これは、周期構造の屈折率が高いほど擬似導波モードの光を外部に放出するレートが高いため、光を閉じ込める効果が減少する、すなわちＱ値が低くなることが原因である。ピーク強度を高く保つためには、光を閉じ込める効果が高い（即ちＱ値が高い）擬似導波モードを利用して、適度に光を外部に放出する構成にすればよい。これを実現するためには、屈折率がフォトルミネッセンス層の屈折率に比べて大き過ぎる材料を周期構造に用いるのは望ましくないことがわかる。したがって、ピーク強度およびＱ値をある程度高くするためには、周期構造を構成する誘電体（即ち、透光層）の屈折率を、フォトルミネッセンス層の屈折率と同等以下にすればよい。フォトルミネッセンス層がフォトルミネッセンス材料以外の材料を含むときも同様である。
【００９７】
［５−２．周期構造の高さ］
次に、周期構造の高さに関して検討を行った。フォトルミネッセンス層の膜厚を１０００ｎｍ、フォトルミネッセンス層の屈折率をｎwav＝１．８、周期構造は図１Ａに示すようなｙ方向に均一な１次元周期構造で屈折率をｎp＝１．５、周期を４００ｎｍとし、光の偏光はｙ方向に平行な電場成分を有するＴＭモードであるものとして計算を行った。発光波長および周期構造の高さを変えて正面方向に出力する光の増強度を計算した結果を図１０に示す。同様の条件で、周期構造の屈折率をｎp＝２．０とした場合の計算結果を図１１に示す。図１０に示す結果では、ある程度以上の高さではピーク強度やＱ値（即ち、ピークの線幅）が変化していないのに対して、図１１に示す結果では、周期構造の高さが大きいほどピーク強度およびＱ値が低下していることがわかる。これは、フォトルミネッセンス層の屈折率ｎwavが周期構造の屈折率ｎpよりも高い場合（図１０）には、光が全反射するので、擬似導波モードの電場の染み出し（エバネッセント）部分のみが周期構造と相互作用することに起因する。電場のエバネッセント部分と周期構造との相互作用の影響は、周期構造の高さが十分大きい場合には、それ以上高さが変化しても一定である。一方、フォトルミネッセンス層の屈折率ｎwavが周期構造の屈折率ｎpよりも低い場合（図１１）は、全反射せずに周期構造の表面にまで光が到達するので、周期構造の高さが大きいほどその影響を受ける。図１１を見る限り、高さは１００ｎｍ程度あれば十分であり、１５０ｎｍを超える領域ではピーク強度およびＱ値が低下していることがわかる。したがって、フォトルミネッセンス層の屈折率ｎwavが周期構造の屈折率ｎpよりも低い場合に、ピーク強度およびＱ値をある程度高くするためには、周期構造の高さを１５０ｎｍ以下に設定すればよい。
【００９８】
［５−３．偏光方向］
次に、偏光方向に関して検討を行った。図９に示す計算と同じ条件で、光の偏光がｙ方向に垂直な電場成分を有するＴＥモードであるものとして計算した結果を図１２に示す。ＴＥモードでは、擬似導波モードの電場の染み出しがＴＭモードに比べて大きいため、周期構造による影響を受けやすい。よって、周期構造の屈折率ｎpがフォトルミネッセンス層の屈折率ｎwavよりも大きい領域では、ピーク強度およびＱ値の低下がＴＭモードよりも著しい。
【００９９】
［５−４．フォトルミネッセンス層の屈折率］
次に、フォトルミネッセンス層の屈折率に関して検討を行った。図９に示す計算と同様の条件で、フォトルミネッセンス層の屈折率ｎwavを１．５に変更した場合の結果を図１３に示す。フォトルミネッセンス層の屈折率ｎwavが１．５の場合においても概ね図９と同様の効果が得られていることがわかる。ただし、波長が６００ｎｍ以上の光は正面方向に出射していないことがわかる。これは、式（１０）より、λ0＜ｎwav×ｐ／ｍ＝１．５×４００ｎｍ／１＝６００ｎｍとなるからである。
【０１００】
以上の分析から、周期構造の屈折率はフォトルミネッセンス層の屈折率と同等以下にするか、周期構造の屈折率がフォトルミネッセンス層の屈折率以上の場合には、高さを１５０ｎｍ以下にすれば、ピーク強度およびＱ値を高くできることがわかる。
【０１０１】
［６．変形例］
以下、発光素子の変形例を説明する。
【０１０２】
［６−１．基板を有する構成］
上述のように、発光素子は、図１Ｃおよび図１Ｄに示すように、透明基板１４０の上にフォトルミネッセンス層１１０および周期構造１２０が形成された構造を有していてもよい。このような発光素子１００ａを作製するには、まず、透明基板１４０上にフォトルミネッセンス層１１０を構成するフォトルミネッセンス材料（必要に応じて、マトリクス材料を含む、以下同じ。）で薄膜を形成し、その上に周期構造１２０を形成する方法が考えられる。このような構成において、フォトルミネッセンス層１１０と周期構造１２０とにより、光を特定の方向に出射する機能をもたせるためには、透明基板１４０の屈折率ｎsはフォトルミネッセンス層の屈折率ｎwav以下にする必要がある。透明基板１４０をフォトルミネッセンス層１１０に接するように設けた場合、式（１０）における出射媒質の屈折率ｎoutをｎsとした式（１５）を満足するように周期ｐを設定する必要がある。
【０１０３】
このことを確認するために、屈折率が１．５の透明基板１４０の上に、図２に示す計算と同じ条件のフォトルミネッセンス層１１０および周期構造１２０を設けた場合の計算を行った。本計算の結果を図１４に示す。図２の結果と同様、波長ごとに特定の周期において光強度のピークが現れることが確認できるが、ピークが現れる周期の範囲が図２の結果とは異なることがわかる。これに対して、式（１０）の条件をｎout＝ｎsとした式（１５）の条件を図１５に示す。図１４において、図１５に示される範囲に対応する領域内に、光強度のピークが現れていることがわかる。
【０１０４】
したがって、透明基板１４０上にフォトルミネッセンス層１１０と周期構造１２０とを設けた発光素子１００ａでは、式（１５）を満足する周期ｐの範囲において効果が得られ、式（１３）を満足する周期ｐの範囲において特に顕著な効果が得られる。
【０１０５】
［６−２．励起光源を有する発光装置］
図１６は、図１Ａ、１Ｂに示す発光素子１００と、励起光をフォトルミネッセンス層１１０に入射させる光源１８０とを備える発光装置２００の構成例を示す図である。上述のように、本開示の構成では、フォトルミネッセンス層を紫外線や青色光などの励起光で励起させることにより、指向性をもつ発光が得られる。そのような励起光を出射するように構成された光源１８０を設けることにより、指向性をもつ発光装置２００を実現できる。光源１８０から出射される励起光の波長は、典型的には紫外または青色領域の波長であるが、これらに限らず、フォトルミネッセンス層１１０を構成するフォトルミネッセンス材料に応じて適宜決定される。なお、図１６では、光源１８０がフォトルミネッセンス層１１０の下面から励起光を入射させるように配置されているが、このような例に限定されず、例えば、フォトルミネッセンス層１１０の上面から励起光を入射させてもよい。励起光は、フォトルミネッセンス層１１０の主面（即ち、上面または下面）に垂直な方向に対して傾斜した方向から（即ち、斜めに）入射させてもよい。励起光を、フォトルミネッセンス層１１０内で全反射が生じる角度で斜めに入射させることにより、より効率的に発光させることができる。なお、本明細書において、「上面」および「下面」の用語は、層状の構造物の２つの主面を区別するために用いられており、発光素子の使用時における姿勢を限定することを意図していない。
【０１０６】
励起光を擬似導波モードに結合させることで、効率よく光を出射させる方法もある。図１７Ａから図１７Ｄは、そのような方法を説明するための図である。この例では、図１Ｃ、１Ｄに示す構成と同様、透明基板１４０上にフォトルミネッセンス層１１０および周期構造１２０が形成されている。まず、図１７Ａに示すように、発光増強のためにｘ方向の周期ｐxを決定し、続いて、図１７Ｂに示すように、励起光を擬似導波モードに結合させるためにｙ方向の周期ｐyを決定する。周期ｐxは、式（１０）においてｐをｐxに置き換えた条件を満足するように決定される。一方、周期ｐyは、ｍを１以上の整数、励起光の波長をλex、フォトルミネッセンス層１１０に接する媒質のうち、周期構造１２０を除く最も屈折率の高い媒質の屈折率をｎoutとして、以下の式（１６）を満足するように決定される。
【数１６】
2016029481.tif 000018
【０１０７】
ここで、ｎoutは、図１７Ｂの例では透明基板１４０のｎsであるが、図１６のように透明基板１４０を設けない構成では、空気の屈折率（約１．０）である。
【０１０８】
特に、ｍ＝１として、次の式（１７）を満足するように周期ｐyを決定すれば、励起光を擬似導波モードに変換する効果をより高くすることができる。
【数１７】
2016029481.tif 000019
【０１０９】
このように、式（１６）の条件（特に式（１７）の条件）を満足するように周期ｐyを設定することで、励起光を擬似導波モードに変換することができる。その結果、フォトルミネッセンス層１１０に効率的に波長λexの励起光を吸収させることができる。
【０１１０】
図１７Ｃおよび図１７Ｄは、それぞれ、図１７Ａおよび図１７Ｂに示す構造に対して光を入射したときに光が吸収される割合を波長ごとに計算した結果を示す図である。この計算では、ｐx＝３６５ｎｍ、ｐy＝２６５ｎｍとし、フォトルミネッセンス層１１０からの発光波長λを約６００ｎｍ、励起光の波長λexを約４５０ｎｍ、フォトルミネッセンス層１１０の消衰係数を０．００３としている。図１７Ｄに示すように、フォトルミネッセンス層１１０から生じた光だけでなく、励起光である約４５０ｎｍの光に対して高い吸収率を示している。これは、入射した光が効果的に擬似導波モードに変換されることで、フォトルミネッセンス層に吸収される割合を増大させることができているためである。また、発光波長である約６００ｎｍに対しても吸収率が増大しているが、これは、もし約６００ｎｍの波長の光をこの構造に入射した場合には、同様に効果的に擬似導波モードに変換されるということである。このように、図１７Ｂに示す周期構造１２０は、ｘ方向およびｙ方向のそれぞれに周期の異なる構造（周期成分と称する。）を有する２次元周期構造である。このように、複数の周期成分を有する２次元周期構造を用いることにより、励起効率を高めつつ、出射強度を高めることが可能になる。なお、図１７Ａ、１７Ｂでは励起光を基板１４０側から入射させているが、周期構造１２０側から入射させても同じ効果が得られる。
【０１１１】
さらに、複数の周期成分を有する２次元周期構造としては、図１８Ａまたは図１８Ｂに示すような構成を採用してもよい。図１８Ａに示すように六角形の平面形状を有する複数の凸部または凹部を周期的に並べた構成や、図１８Ｂに示すように三角形の平面形状を有する複数の凸部または凹部を周期的に並べた構成とすることにより、周期とみなすことのできる複数の主軸（図の例では軸１〜３）を定めることができる。このため、それぞれの軸方向について異なる周期を割り当てることができる。これらの周期の各々を、複数の波長の光の指向性を高めるために設定してもよいし、励起光を効率よく吸収させるために設定してもよい。いずれの場合も、式（１０）に相当する条件を満足するように各周期が設定される。
【０１１２】
［６−３．透明基板上の周期構造］
図１９Ａおよび図１９Ｂに示すように、透明基板１４０上に周期構造１２０ａを形成し、その上にフォトルミネッセンス層１１０を設けてもよい。図１９Ａの構成例では、基板１４０上の凹凸からなる周期構造１２０ａに追従するようにフォトルミネッセンス層１１０が形成されている。その結果、フォトルミネッセンス層１１０の表面にも同じ周期の周期構造１２０ｂが形成されている。一方、図１９Ｂの構成例では、フォトルミネッセンス層１１０の表面は平坦になるように処理されている。これらの構成例においても、周期構造１２０ａの周期ｐを式（１５）を満足するように設定することにより、指向性発光を実現できる。
【０１１３】
この効果を検証するため、図１９Ａの構成において、発光波長および周期構造の周期を変えて正面方向に出力する光の増強度を計算した。ここで、フォトルミネッセンス層１１０の膜厚を１０００ｎｍ、フォトルミネッセンス層１１０の屈折率をｎwav＝１．８、周期構造１２０ａはｙ方向に均一な１次元周期構造で高さを５０ｎｍ、屈折率をｎp＝１．５、周期を４００ｎｍとし、光の偏光はｙ方向に平行な電場成分を有するＴＭモードであるものとした。本計算の結果を図１９Ｃに示す。本計算においても、式（１５）の条件を満足する周期で光強度のピークが観測された。
【０１１４】
［６−４．粉体］
以上の実施形態によれば、周期構造の周期や、フォトルミネッセンス層の膜厚を調整することで任意の波長の発光を強調することができる。例えば、広い帯域で発光するフォトルミネッセンス材料を用いて図１Ａ、１Ｂのような構成にすれば、ある波長の光のみを強調することが可能である。よって、図１Ａ、１Ｂのような発光素子１００の構成を粉末状にして、蛍光材料として利用してもよい。また、図１Ａ、１Ｂのような発光素子１００を樹脂やガラスなどに埋め込んで利用してもよい。
【０１１５】
図１Ａ、１Ｂのような単体の構成では、ある特定の波長しか特定の方向に出射できないため、例えば広い波長域のスペクトルを持つ白色などの発光を実現することは難しい。そこで、図２０に示すように周期構造の周期やフォトルミネッセンス層の膜厚などの条件の異なる複数の粉末状の発光素子１００を混ぜたものを用いることにより、広い波長域のスペクトルを持つ発光装置を実現できる。この場合、個々の発光素子１００の一方向のサイズは、例えば数μｍ〜数ｍｍ程度であり、その中に例えば数周期〜数百周期の１次元または２次元の周期構造を含み得る。
【０１１６】
［６−５．周期の異なる構造を配列］
図２１は、フォトルミネッセンス層の上に周期の異なる複数の周期構造を２次元に配列した例を示す平面図である。この例では、３種類の周期構造１２０ａ、１２０ｂ、１２０ｃが隙間なく配列されている。周期構造１２０ａ、１２０ｂ、１２０ｃは、例えば、赤、緑、青の波長域の光をそれぞれ正面に出射するように周期が設定されている。このように、フォトルミネッセンス層の上に周期の異なる複数の構造を並べることによっても広い波長域のスペクトルに対し指向性を発揮させることができる。なお、複数の周期構造の構成は、上記のものに限定されず、任意に設定してよい。
【０１１７】
［６−６．積層構造］
図２２は、表面に凹凸構造が形成された複数のフォトルミネッセンス層１１０が積層された構造を有する発光素子の一例を示している。複数のフォトルミネッセンス層１１０の間には、透明基板１４０が設けられ、各層のフォトルミネッセンス層１１０の表面に形成された凹凸構造が上記の周期構造またはサブミクロン構造に相当する。図２２に示す例では、３層の周期の異なる周期構造が形成されており、それぞれ、赤、青、緑の波長域の光を正面に出射するように周期が設定されている。また、各周期構造の周期に対応する色の光を発するように各層のフォトルミネッセンス層１１０の材料が選択されている。このように、周期の異なる複数の周期構造を積層することによっても、広い波長域のスペクトルに対し指向性を発揮させることができる。
【０１１８】
なお、層数や各層のフォトルミネッセンス層１１０および周期構造の構成は上記のものに限定されず、任意に設定してよい。例えば２層の構成では、透光性の基板を介して第１のフォトルミネッセンス層と第２のフォトルミネッセンス層とが対向するように形成され、第１および第２のフォトルミネッセンス層の表面に、それぞれ第１および第２の周期構造が形成されることになる。この場合、第１のフォトルミネッセンス層および第１の周期構造の対と、第２のフォトルミネッセンス層および第２の周期構造の対のそれぞれについて、式（１５）に相当する条件を満足していればよい。３層以上の構成においても同様に、各層におけるフォトルミネッセンス層および周期構造について、式（１５）に相当する条件を満足していればよい。フォトルミネッセンス層と周期構造との位置関係が図２２に示すものとは逆転していてもよい。図２２に示す例では、各層の周期が異なっているが、これらを全て同じ周期にしてもよい。その場合、スペクトルを広くすることはできないが、発光強度を大きくすることができる。
【０１１９】
［６−７．保護層を有する構成］
図２３は、フォトルミネッセンス層１１０と周期構造１２０との間に保護層１５０を設けた構成例を示す断面図である。このように、フォトルミネッセンス層１１０を保護するための保護層１５０を設けても良い。ただし、保護層１５０の屈折率がフォトルミネッセンス層１１０の屈折率よりも低い場合は、保護層１５０の内部に波長の半分程度しか光の電場が染み出さない。よって、保護層１５０が波長よりも厚い場合には、周期構造１２０に光が届かない。このため、擬似導波モードが存在せず、光を特定方向に放出する機能を得ることができない。保護層１５０の屈折率がフォトルミネッセンス層１１０の屈折率と同程度あるいはそれ以上の場合には、保護層１５０の内部にまで光が到達する。よって、保護層１５０に厚さの制約は無い。ただし、その場合でも、光が導波する部分（以下、この部分を「導波層」と呼ぶ。）の大部分をフォトルミネッセンス材料で形成したほうが大きな光の出力が得られる。よって、この場合でも保護層１５０は薄いほうが望ましい。なお、保護層１５０を周期構造（透光層）１２０と同じ材料を用いて形成してもよい。このとき、周期構造を有する透光層が保護層を兼ねる。透光層１２０の屈折率はフォトルミネッセンス層１１０よりも小さいことが望ましい。
【０１２０】
［７．材料］
以上のような条件を満たす材料でフォトルミネッセンス層（あるいは導波層）および周期構造を構成すれば、指向性発光を実現できる。周期構造には任意の材料を用いることができる。しかしながら、フォトルミネッセンス層（あるいは導波層）や周期構造を形成する媒質の光吸収性が高いと、光を閉じ込める効果が低下し、ピーク強度およびＱ値が低下する。よって、フォトルミネッセンス層（あるいは導波層）および周期構造を形成する媒質として、光吸収性の比較的低いものが用いられ得る。
【０１２１】
周期構造の材料としては、例えば、光吸収性の低い誘電体が使用され得る。周期構造の材料の候補としては、例えば、ＭｇＦ2（フッ化マグネシウム）、ＬｉＦ（フッ化リチウム）、ＣａＦ2（フッ化カルシウム）、ＳｉＯ2（石英）、ガラス、樹脂、ＭｇＯ（酸化マグネシウム）、ＩＴＯ（酸化インジウム錫）、ＴｉＯ2（酸化チタン）、ＳｉＮ（窒化シリコン）、Ｔａ2Ｏ5（五酸化タンタル）、ＺｒＯ2（ジルコニア）、ＺｎＳｅ（セレン化亜鉛）、ＺｎＳ（硫化亜鉛）などが挙げられる。ただし、前述のとおり周期構造の屈折率をフォトルミネッセンス層の屈折率よりも低くする場合、屈折率が１．３〜１．５程度であるＭｇＦ2、ＬｉＦ、ＣａＦ2、ＳｉＯ2、ガラス、樹脂を用いることができる。
【０１２２】
フォトルミネッセンス材料は、狭義の蛍光材料および燐光材料を包含し、無機材料だけなく、有機材料（例えば色素）を包含し、さらには、量子ドット（即ち、半導体微粒子）を包含する。一般に、無機材料をホストとする蛍光材料は屈折率が高い傾向にある。青色に発光する蛍光材料としては、例えば、Ｍ10（ＰＯ4）6Ｃｌ2：Ｅｕ2+（Ｍ＝Ｂａ，ＳｒおよびＣａから選ばれる少なくとも１種）、ＢａＭｇＡｌ10Ｏ17：Ｅｕ2+、Ｍ3ＭｇＳｉ2Ｏ8：Ｅｕ2+（Ｍ＝Ｂａ，ＳｒおよびＣａから選ばれる少なくとも１種）、Ｍ5ＳｉＯ4Ｃｌ6：Ｅｕ2+（Ｍ＝Ｂａ，ＳｒおよびＣａから選ばれる少なくとも１種）を用いることができる。緑色に発光する蛍光材料としては、例えば、Ｍ2ＭｇＳｉ2Ｏ7：Ｅｕ2+（Ｍ＝Ｂａ，ＳｒおよびＣａから選ばれる少なくとも１種）、ＳｒＳｉ5ＡｌＯ2Ｎ7：Ｅｕ2+、ＳｒＳｉ2Ｏ2Ｎ2：Ｅｕ2+、ＢａＡｌ2Ｏ4：Ｅｕ2+、ＢａＺｒＳｉ3Ｏ9：Ｅｕ2+、Ｍ2ＳｉＯ4：Ｅｕ2+（Ｍ＝Ｂａ，ＳｒおよびＣａから選ばれる少なくとも１種）、ＢａＳｉ3Ｏ4Ｎ2：Ｅｕ2+Ｃａ8Ｍｇ（ＳｉＯ4）4Ｃｌ2：Ｅｕ2+、Ｃａ3ＳｉＯ4Ｃｌ2：Ｅｕ2+、ＣａＳｉ12-(m+n)Ａｌ(m+n)ＯnＮ16-n：Ｃｅ3+、β−ＳｉＡｌＯＮ：Ｅｕ2+を用いることができる。赤色に発光する蛍光材料としては、例えば、ＣａＡｌＳｉＮ3：Ｅｕ2+、ＳｒＡｌＳｉ4Ｏ7：Ｅｕ2+、Ｍ2Ｓｉ5Ｎ8：Ｅｕ2+（Ｍ＝Ｂａ，ＳｒおよびＣａから選ばれる少なくとも１種）、ＭＳｉＮ2：Ｅｕ2+（Ｍ＝Ｂａ，ＳｒおよびＣａから選ばれる少なくとも１種）、ＭＳｉ2Ｏ2Ｎ2：Ｙｂ2+（Ｍ＝ＳｒおよびＣａから選ばれる少なくとも１種）、Ｙ2Ｏ2Ｓ：Ｅｕ3+，Ｓｍ3+、Ｌａ2Ｏ2Ｓ：Ｅｕ3+，Ｓｍ3+、ＣａＷＯ4：Ｌｉ1+，Ｅｕ3+，Ｓｍ3+、Ｍ2ＳｉＳ4：Ｅｕ2+（Ｍ＝Ｂａ，ＳｒおよびＣａから選ばれる少なくとも１種）、Ｍ3ＳｉＯ5：Ｅｕ2+（Ｍ＝Ｂａ，ＳｒおよびＣａから選ばれる少なくとも１種）を用いることができる。黄色に発光する蛍光材料としては、例えば、Ｙ3Ａｌ5Ｏ12：Ｃｅ3+、ＣａＳｉ2Ｏ2Ｎ2：Ｅｕ2+、Ｃａ3Ｓｃ2Ｓｉ3Ｏ12：Ｃｅ3+、ＣａＳｃ2Ｏ4：Ｃｅ3+、α−ＳｉＡｌＯＮ：Ｅｕ2+、ＭＳｉ2Ｏ2Ｎ2：Ｅｕ2+（Ｍ＝Ｂａ，ＳｒおよびＣａから選ばれる少なくとも１種）、Ｍ7（ＳｉＯ3）6Ｃｌ2：Ｅｕ2+（Ｍ＝Ｂａ，ＳｒおよびＣａから選ばれる少なくとも１種）を用いることができる。
【０１２３】
量子ドットについては、例えば、ＣｄＳ、ＣｄＳｅ、コア・シェル型ＣｄＳｅ／ＺｎＳ、合金型ＣｄＳＳｅ／ＺｎＳなどの材料を用いることができ、材質によって様々な発光波長を得ることができる。量子ドットのマトリクスとしては、例えば、ガラスや樹脂を用いることができる。
【０１２４】
図１Ｃ、１Ｄなどに示す透明基板１４０は、フォトルミネッセンス層１１０の屈折率よりも低い透光性材料によって構成される。そのような材料として、例えば、ＭｇＦ2（フッ化マグネシウム）、ＬｉＦ（フッ化リチウム）、ＣａＦ2（フッ化カルシウム）、ＳｉＯ2（石英）、ガラス、樹脂が挙げられる。なお、基板１４０を介さずにフォトルミネッセンス層１１０に励起光を入射させるような構成においては、基板１４０が透明であることは必須ではない。基板１４０は、例えば、ＢａＦ2、ＳｒＦ2、ＭｇＯ、ＭｇＡｌ2Ｏ4、サファイア（Ａｌ2Ｏ3）、ＳｒＴｉＯ3、ＬａＡｌＯ3、ＴｉＯ2、Ｇｄ3Ｇａ5Ｏ12、ＬａＳｒＡｌＯ4、ＬａＳｒＧａＯ4、ＬａＴａＯ3、ＳｒＯ、ＹＳＺ（ＺｒＯ2・Ｙ2Ｏ3）、ＹＡＧ、Ｔｂ3Ｇａ5Ｏ12を用いて形成されてもよい。
【０１２５】
［８．発光素子の製造方法］
続いて、発光素子の製造方法の一例を説明する。
【０１２６】
図１Ｃ、１Ｄに示す構成を実現する方法として、例えば、透明基板１４０上に蛍光材料を蒸着、スパッタリング、塗布などの工程によってフォトルミネッセンス層１１０の薄膜を形成し、その後、誘電体を成膜し、フォトリソグラフィなどの方法によってパターニングすることによって周期構造１２０を形成する方法がある。上記方法の代わりに、ナノインプリントによって周期構造１２０を形成してもよい。また、図２４に示すように、フォトルミネッセンス層１１０の一部のみを加工することによって周期構造１２０を形成してもよい。その場合、周期構造１２０はフォトルミネッセンス層１１０と同じ材料で形成されることになる。
【０１２７】
図１Ａ、１Ｂに示す発光素子１００は、例えば、図１Ｃ、１Ｄに示す発光素子１００ａを作製した後、基板１４０からフォトルミネッセンス層１１０および周期構造１２０の部分を剥がす工程を行うことで実現可能である。
【０１２８】
図１９Ａに示す構成は、例えば、透明基板１４０上に半導体プロセスやナノインプリントなどの方法で周期構造１２０ａを形成した後、その上にフォトルミネッセンス層１１０を構成する材料を蒸着やスパッタリングなどの方法で形成することによって実現可能である。あるいは、塗布などの方法を用いて周期構造１２０ａの凹部をフォトルミネッセンス層１１０で埋め込むことによって図１９Ｂに示す構成を実現することもできる。
【０１２９】
なお、上記の製造方法は一例であり、本開示の発光素子の製造方法は上記に限定されない。
【０１３０】
[９．実験例]
以下に、本開示の実施形態による発光素子を作製した例を説明する。
【０１３１】
図１９Ａと同様の構成を有する発光素子のサンプルを試作し、特性を評価した。発光素子は以下の様にして作製した。
【０１３２】
ガラス基板に、周期４００ｎｍ、高さ４０ｎｍの１次元周期構造（ストライプ状の凸部）を設け、その上からフォトルミネッセンス材料であるＹＡＧ：Ｃｅを２１０ｎｍ成膜した。この断面図のＴＥＭ像を図２５に示し、これを４５０ｎｍのＬＥＤで励起することでＹＡＧ：Ｃｅを発光させたときの、正面方向のスペクトルを測定した結果を図２６に示す。図２６には、周期構造がない場合の測定結果（ｒｅｆ）と、１次元周期構造に対して平行な偏光成分を持つＴＭモードと、垂直な偏光成分を持つＴＥモードを測定した結果について示した。周期構造がある場合は、周期構造がない場合に対して、特定の波長の光が著しく増加していることが見て取れる。また、１次元周期構造に対して平行な偏光成分を持つＴＭモードの方が、光の増強効果が大きいことが分かる。
【０１３３】
さらに、同じサンプルにおいて、出射光強度の角度依存性を測定した結果および計算結果を図２７Ａ〜２７Ｆおよび図２８Ａ〜２８Ｆに示す。図２７Ａは、ＴＭモードの直線偏光を出射する発光素子を、１次元周期構造１２０のライン方向と平行な軸を回転軸として回転させている状況を示している。図２７Ｂおよび図２７Ｃは、このように回転させた場合についての測定結果および計算結果をそれぞれ示している。一方、図２７Ｄは、ＴＥモードの直線偏光を出射する発光素子を、１次元周期構造１２０のライン方向と平行な軸を回転軸として回転させている状況を示している。図２７Ｅおよび図２７Ｆは、この場合の測定結果および計算結果をそれぞれ示している。図２８Ａは、ＴＥモードの直線偏光を出射する発光素子を、１次元周期構造１２０のライン方向に垂直な軸を回転軸として回転させている状況を示している。図２８Ｂおよび図２８Ｃは、この場合の測定結果および計算結果をそれぞれ示している。一方、図２８Ｄは、ＴＭモードの直線偏光を出射する発光素子を、１次元周期構造１２０のライン方向と垂直な軸を回転軸として回転させている状況を示している。図２８Ｅおよび図２８Ｆは、この場合の測定結果および計算結果をそれぞれ示している。
【０１３４】
図２７Ａ〜２７Ｆおよび図２８Ａ〜２８Ｆから明らかなように、ＴＭモードの方が増強される効果が高い。また、増強される光の波長は角度によってシフトすることがわかる。例えば、波長６１０ｎｍの光については、ＴＭモードでかつ正面方向にしか光が存在しないため、指向性が高くかつ偏光発光していることがわかる。また、図２７Ｂと図２７Ｃ、図２７Ｅと図２７Ｆ、図２８Ｂと図２８Ｃ、図２８Ｅと図２８Ｆのそれぞれの測定結果と計算結果とが整合していることから、上述の計算の妥当性が実験によって裏付けられた。
【０１３５】
図２９は、波長６１０ｎｍの光について、図２８Ｄに示すように、ライン方向に対して垂直な方向を回転軸として回転させた場合の強度の角度依存性を示している。正面方向に強い発光増強が起きており、そのほかの角度に対しては、ほとんど光が増強されていない様子がみてとれる。正面方向に出射される光の指向角は１５°未満であることがわかる。なお、指向角は、前述のように、強度が最大強度の５０％となる角度であり、最大強度の方向を中心に片側の角度で表す。図２９に示す結果から、指向性発光が実現していることがわかる。さらに、出射される光は全てＴＭモードの成分であるため、同時に偏光発光も実現していることがわかる。
【０１３６】
以上の検証のための実験は、広帯域の波長帯で発光するＹＡＧ：Ｃｅを使って行った。狭帯域の光を発するフォトルミネッセンス材料を用いて同様の構成で実験を行ったとしても、その波長の光に対して高い指向性および偏光発光を実現することができる。さらに、そのようなフォトルミネッセンス材料を用いた場合、他の波長の光は発生しないために他の方向や他の偏光状態の光は発生しない光源を実現することができる。
【０１３７】
[１０．他の変形例]
次に、本開示の発光素子の他の変形例を説明する。
【０１３８】
上述したように、本開示の発光素子が有するサブミクロン構造によって、発光増強効果を受ける光の波長および出射方向は、サブミクロン構造の構成に依存する。図３１に示す、フォトルミネッセンス層１１０上に周期構造１２０を有する発光素子を考える。ここでは、周期構造１２０はフォトルミネッセンス層１１０と同じ材料で形成されており、図１Ａに示した１次元周期構造１２０を有する場合を例示する。１次元周期構造１２０によって発光増強を受ける光は、１次元周期構造１２０の周期ｐ（ｎｍ）、フォトルミネッセンス層１１０の屈折率ｎwav、光が出射される外部の媒質の屈折率ｎoutとし、１次元周期構造１２０への入射角をθwav、１次元周期構造１２０から外部の媒質への出射角をθoutとすると、ｐ×ｎwav×ｓｉｎθwav−ｐ×ｎout×ｓｉｎθout＝ｍλの関係を満足する（上記の式（５）参照）。ここで、λは空気中における光の波長であり、ｍは整数である。
【０１３９】
上記式から、θout＝ａｒｃｓｉｎ［（ｎwav×ｓｉｎθwav−ｍλ／ｐ）／ｎout］が得られる。したがって、一般に、波長λが異なると、発光増強を受けた光の出射角θoutが異なる。その結果、図３１に模式的に示すように、観察する方向によって、見える光の色が異なる。
【０１４０】
この視角依存性を低減させるためには、（ｎwav×ｓｉｎθwav−ｍλ／ｐ）／ｎoutが、波長λによらず一定となるように、ｎwavおよびｎoutを選べばよい。物質の屈折率は、波長分散（波長依存性）を有しているので、（ｎwav×ｓｉｎθwav−ｍλ／ｐ）／ｎoutが波長λに依存しないような、ｎwavおよびｎoutの波長分散性を有する材料を選択すればよい。例えば、外部の媒質が空気の場合、ｎoutは、波長によらずほぼ１．０なので、フォトルミネッセンス層１１０および１次元周期構造１２０を形成する材料として、屈折率ｎwavの波長分散が小さい材料を選択することが望ましい。さらに、屈折率ｎwavがより短い波長の光に対して屈折率が低くなるような逆分散の材料のほうが望ましい。
【０１４１】
また、図３２Ａに示すように、互いに発光増強効果を示す波長が異なる複数の周期構造を配列することによって、白色光を出射できるようにできる。図３２Ａに示す例では、赤色光（Ｒ）を増強できる周期構造１２０ｒと、緑色光（Ｇ）を増強できる周期構造１２０ｇと、青色光（Ｂ）を増強できる周期構造１２０ｂとがマトリクス状に配列されている。周期構造１２０ｒ、１２０ｇおよび１２０ｂは、例えば、１次元周期構造で、それぞれの凸部は互いに平行に配列されている。したがって、偏光特性は、赤、緑、青の全ての色の光について同じである。周期構造１２０ｒ、１２０ｇおよび１２０ｂによって、発光増強を受けた三原色の光が出射され、混色される結果、白色光、かつ、直線偏光が得られる。
【０１４２】
マトリクス状に配列された各周期構造１２０ｒ、１２０ｇおよび１２０ｂを単位周期構造と呼ぶと、単位周期構造の大きさ（即ち、一辺の長さ）は、例えば、周期の３倍以上である。また、混色の効果を得るためには人間の目で単位周期構造が認識されない方が望ましく、例えば、一辺の長さは１ｍｍよりも小さいことが望ましい。ここでは、各単位周期構造を正方形に描いているが、これに限られず、例えば、互いに隣接する周期構造１２０ｒ、１２０ｇおよび１２０ｂが長方形、三角形、六角形などの正方形以外の形状でもよい。
【０１４３】
また、周期構造１２０ｒ、１２０ｇおよび１２０ｂの下に設けられているフォトルミネッセンス層は、周期構造１２０ｒ、１２０ｇおよび１２０ｂに共通であってもよいし、それぞれの色の光に対応して異なるフォトルミネッセンス材料を有するフォトルミネッセンス層を設けてもよい。
【０１４４】
図３２Ｂに示すように、１次元周期構造の凸部が延びる方位が異なる複数の周期構造（周期構造１２０ｈ、１２０ｉおよび１２０ｊを含む）を配列してもよい。複数の周期構造が発光増強する光の波長は、同じでもよいし、異なっていてもよい。例えば、同じ周期構造を図３２Ｂのように配列すると、偏光していない光を得ることができる。また、図３２Ａにおける周期構造１２０ｒ、１２０ｇおよび１２０ｂのそれぞれについて、図３２Ｂの配列を適用すると、全体として、非偏光の白色光を得ることができる。
【０１４５】
もちろん、周期構造は、１次元周期構造に限らず、図３２Ｃに示すように、複数の２次元周期構造（周期構造１２０ｋ、１２０ｍおよび１２０ｎを含む）を配列してもよい。このとき、周期構造１２０ｋ、１２０ｍおよび１２０ｎの周期や方位は、上述したように、同じでもよいし、異なってもよく、必要に応じて適宜設定され得る。
【０１４６】
図３３に示すように、例えば、発光素子の光の出射側にマイクロレンズ１３０のアレイを配置してもよい。マイクロレンズ１３０のアレイにより、斜め方向に出射される光を法線方向に曲げることによって、混色の効果を得ることができる。
【０１４７】
図３３に示した発光素子は、図３２Ａにおける周期構造１２０ｒ、１２０ｇおよび１２０ｂをそれぞれ有する領域Ｒ１、Ｒ２およびＲ３を有する。領域Ｒ１においては、周期構造１２０ｒによって、赤色光Ｒが法線方向に出射され、例えば緑色光Ｇは斜め方向に出射される。マイクロレンズ１３０の屈折作用によって、斜め方向に出射された緑色光Ｇは法線方向に曲げられる。その結果、法線方向においては、赤色光Ｒと緑色光Ｇとが混色されて観察される。このように、マイクロレンズ１３０を設けることによって、出射される光の波長が角度によって異なるという現象が抑制される。ここでは、複数の周期構造に対応する複数のマイクロレンズを一体化したマイクロレンズアレイを例示しているが、これに限られない。もちろん、タイリングする周期構造は上記の例に限られず、同じ周期構造をタイリングした場合にも適用できるし、図３２Ｂまたは図３２Ｃに示した構成にも適用できる。
【０１４８】
斜め方向に出射される光を曲げる作用を有する光学素子は、マイクロレンズアレイに代えてレンチキュラーレンズであってもよい。また、レンズだけでなく、プリズムを用いることもできる。プリズムのアレイを用いてもよい。周期構造に対応して個々にプリズムを配置してもよい。プリズムの形状は、特に制限されない。例えば、三角プリズムまたはピラミッド型プリズムを用いることができる。
【０１４９】
白色光（あるいは、広いスペクトル幅を有する光）を得る方法は、上述の周期構造によるものの他、例えば、図３４Ａおよび図３４Ｂに示すように、フォトルミネッセンス層によるものもある。図３４Ａに示すように、発光波長が異なる複数のフォトルミネッセンス層１１０ｂ、１１０ｇ、１１０ｒを積層することによって、白色光を得ることができる。積層順は図示の例に限らない。また、図３４Ｂに示すように、青色の光を発するフォトルミネッセンス層１１０ｂの上に、黄色の光を発するフォトルミネッセンス層１１０ｙを積層してもよい。フォトルミネッセンス層１１０ｙは、例えばＹＡＧを用いて形成することができる。
【０１５０】
この他、蛍光色素などマトリクス（ホスト）材料に混合して用いられるフォトルミネッセンス材料を用いる場合には、発光波長が異なる複数のフォトルミネッセンス材料をマトリクス材料に混合し、単一のフォトルミネッセンス層で、白色光を発光するようにできる。この様な白色光を発光できるフォトルミネッセンス層は、図３２Ａ〜図３２Ｃを参照して説明した、単位周期構造をタイリングした構成に用いることができる。
【０１５１】
[１１．表示装置]
次に、本開示の実施形態に係る表示装置を説明する。
【０１５２】
[１１−１．表示装置の実施形態]
図３５および図３６は、本開示の実施形態に係る例示的な表示装置を示す。図３５は、本開示の実施形態に係る表示装置３００を表示面の法線方向から見たときの模式的な平面図であり、図３６は、図３５に示すＡ−Ａ’線に沿って表示装置３００を切断したときの模式的な断面図である。
【０１５３】
図３５に示す表示装置３００は、表示面ＰＳを有する。図示するように、表示面ＰＳは、マトリクス状に配列された複数の発光素子１００ｓを含む。これら発光素子１００ｓの各々は、表示装置３００における表示の単位である。以下では、表示面ＰＳを構成する各発光素子を「画素」と呼ぶことがある。
【０１５４】
図示するように、表示面ＰＳを構成する複数の発光素子１００ｓは、第１発光素子１０１および第２発光素子１０２Ａの２種の発光素子の組を含んでいる。図示する例では、第１発光素子１０１および第２発光素子１０２Ａの組が、表示面ＰＳの行方向および列方向に沿って配列されている。図３５に例示する構成において、表示面ＰＳの法線方向から見たときの第１発光素子１０１および第２発光素子１０２Ａの形状は、矩形である。しかしながら、これはあくまでも一例であり、複数の発光素子１００ｓの形状は、三角形、六角形、八角形などであってもよい。
【０１５５】
第１発光素子１０１の各々には、特定の方向に特定の波長の光を強く出射する発光素子が用いられる。言い換えれば、第１発光素子１０１の各々は、既に説明した発光素子と同様の構成を有している。この例では、第１発光素子１０１の各々は、図３６に示すように、透明基板１４０に支持されたフォトルミネッセンス層１１１と、周期構造１２１とを有する。すなわち、この例では、第１発光素子１０１として、図１Ｃおよび図１Ｄを参照して説明した発光素子１００ａが用いられている。図３６に示す例では、周期構造１２１が表示装置３００の観察者側（図において左側）に形成されている。発光素子１００ａに代えて、既に説明した他の構造を有する発光素子を用いてももちろんかまわない。
【０１５６】
フォトルミネッセンス層１１１は、励起光を受けることにより、空気中の波長がλ１aの光を発する。周期構造１２１は、例えば複数の凸部を有し、空気中の波長がλ１aの光の強度を予め決められた第１の方向において最大にする擬似導波モードをフォトルミネッセンス層１１１の内部に形成する。周期構造１２１は、波長λ１aの光の指向角を例えば１５°未満に制限する。フォトルミネッセンス層１１１が発する光は、λ１a以外の他の波長の光を含んでいてもよい。
【０１５７】
一方、第２発光素子１０２Ａの各々は、透明基板１４０に支持されたフォトルミネッセンス層１１２を有する。フォトルミネッセンス層１１２は、励起光を受けることによって発光する。このとき、フォトルミネッセンス層１１２から出射される光は、空気中の波長がλ１aの光を含んでいてもよいし、含んでいなくてもよい。フォトルミネッセンス層１１２が、例えば、励起光を受けて波長λ１aとは異なる他の特定の波長の光（例えば空気中の波長がλ２aの光）を発するフォトルミネッセンス材料から形成されていてもよい。
【０１５８】
第１発光素子１０１の各々が周期構造１２１を含んでいることに対して、図３６に示すように、第２発光素子１０２Ａの各々は、周期構造を含んでいない。したがって、第２発光素子１０２Ａにおける発光は、指向性を示さない。別の言い方をすれば、フォトルミネッセンス層１１２に励起光が入射することによって第２発光素子１０２Ａから出射される光の指向角は、第１発光素子１０１から出射される、空気中の波長がλ１aの光の指向角よりも大きい。
【０１５９】
上述したように、第１発光素子１０１における周期構造１２１は、波長λ１aの光の指向角を制限する。そのため、第１発光素子１０１から出射された波長λ１aの光は、周期構造１２１によって予め決められた第１の方向に沿って表示装置３００を見たときに認識される。これに対し、第２発光素子１０２Ａから出射された光は、より広い範囲において認識することができる。つまり、表示装置３００の表示面ＰＳは、狭角配光を示す複数の第１領域と、等方的な配光を示す複数の第２領域とを有しているといえる。
【０１６０】
本開示の実施形態によれば、表示装置３００を観察する方向に応じて、異なった画像を提示することが可能である。例えば、第２の方向から観察したときに第２の画像がさらに浮かび上がるような効果を有する表示を実現し得る。あるいは、第２発光素子１０２Ａを発光させた状態で第１発光素子１０１によって情報を提示することにより、特定の方向以外の方向からの覗き見が困難な表示を実現することも可能である。
【０１６１】
なお、本明細書において、「画像」は、静止画および動画を含む。「画像」が提示する内容は、撮像装置によって取得されたデータに限定されず、アニメーションであってもよいし、文書、標識または案内などの各種の表示であってもよい。画像は、例えば、複数の発光素子１００ｓのうちの所望の発光素子を選択的に発光させるか、または、観察者と所望の発光素子とを結ぶ経路を選択的に遮断することによって表示される。所望の発光素子を選択的に発光させる構成、および、観察者と所望の発光素子とを結ぶ経路を選択的に遮断する構成の詳細は、後述する。あるいは、標識および案内のように頻繁に情報を書き換える必要がない場合には、表示面ＰＳの全体ではなく、所望の一部の箇所に第１発光素子１０１および第２発光素子１０２Ａを配置しておいてもよい。
【０１６２】
[１１−２．表示装置の他の実施形態]
図３７および図３８は、本開示の他の実施形態に係る例示的な表示装置を示す。図３７は、本開示の他の実施形態に係る表示装置３１０を表示面の法線方向から見たときの模式的な平面図であり、図３８は、図３７に示すＢ−Ｂ’線に沿って表示装置３１０を切断したときの模式的な断面図である。図３７および図３８に示す表示装置３１０と、図３５および図３６を参照して説明した表示装置３００との相違点は、表示装置３１０が、第２発光素子１０２Ａに代えて第２発光素子１０２Ｂを有する点である。
【０１６３】
図３８に示すように、第２発光素子１０２Ｂの各々は、フォトルミネッセンス層１１２を有し、かつ、上述の第１発光素子１０１と同様に、表示装置３１０の観察者側に形成された周期構造１２２をさらに有する。つまり、ここで説明する実施形態では、第１発光素子１０１だけではなく、第２発光素子１０２Ｂの各々にも、特定の方向に特定の波長の光を強く出射する発光素子が用いられている。ここでは、第２発光素子１０２Ｂとして、図１Ｃおよび図１Ｄを参照して説明した発光素子１００ａが用いられている。発光素子１００ａに代えて、既に説明した他の構造を有する発光素子を用いてももちろんかまわない。
【０１６４】
フォトルミネッセンス層１１２は、励起光を受けることにより、例えば、空気中の波長がλ１aの光を発する。周期構造１２２は、例えば複数の凸部を有し、空気中の波長がλ１aの光の強度を予め決められた第２の方向において最大にする擬似導波モードをフォトルミネッセンス層１１２の内部に形成する。周期構造１２２によって予め決められる第２の方向は、上述の第１の方向とは異なる。
【０１６５】
あるいは、フォトルミネッセンス層１１２は、励起光を受けることにより、空気中の波長がλ２aの光を発する。この場合は、周期構造１２２は、空気中の波長がλ２aの光の強度を予め決められた第２の方向において最大にする擬似導波モードをフォトルミネッセンス層１１２の内部に形成するように設計される。周期構造１２２は、フォトルミネッセンス層１１２が発する波長λ１aの光または波長λ２aの光の指向角を例えば１５°未満に制限する。
【０１６６】
図３７および図３８に例示する構成においては、第２発光素子１０２Ｂの各々が周期構造１２２を含んでいるので、第２発光素子１０２Ｂは、第１発光素子１０１と同様に狭角配光を示す。このとき、第２発光素子１０２Ｂから出射される、波長がλ１aまたはλ２aの光の強度は、第１発光素子１０１から出射される波長λ１aの光の強度が最大となる第１の方向とは異なる第２の方向において最大となる。そのため、表示装置３１０の観察者は、第１の方向から表示装置３１０を見たときには、第１発光素子１０１から出射された波長λ１aの光を認識し、第２の方向から表示装置３１０を見たときには、第２発光素子１０２Ｂから出射された波長λ１aの光または波長λ２aの光を認識する。
【０１６７】
したがって、ここで説明する実施形態によれば、観察する方向に応じて異なる画像を観察者に認識させることが可能である。換言すれば、観察する方向に応じて異なる画像を表示する表示装置を実現し得る。上述の実施形態によれば、表示面ＰＳを構成する第１発光素子１０１と第２発光素子１０２Ｂとの間で、特定の波長の光の進行する方向が互いに異なるように調整されているので、観察する方向に応じて異なる情報を提示することが可能である。このような構成によれば、表示面ＰＳから出射された光の進行方向を制約するための光学系を設ける必要がないので、画素と観察者との間にパララックスバリアを設ける方式と比較して光の利用効率の低下を抑制し得る。
【０１６８】
なお、特定の波長の光が強く出射される方向は、２つに限定されず、３以上であってもよい。例えば、発光素子１００ｓが、第１および第２の方向のいずれとも異なる第３の方向に特定の波長の光を強く出射する発光素子をさらに含んでいてもよい。
【０１６９】
[１１−３．カラー画像の表示]
図３９および図４０は、表示装置３１０における発光素子の配列の一例を示す。図３９は、表示面ＰＳの法線方向から見たときの、発光素子の配列を示す模式的な平面図であり、図４０は、図３９に示すＣ−Ｃ’線に沿って表示装置３１０を切断したときの模式的な断面図である。
【０１７０】
図３９および図４０に例示する構成において、表示装置３１０の表示面ＰＳは、発光素子対１００ｐｒ、１００ｐｇおよび１００ｐｂの配列を有する。発光素子対１００ｐｒは、第１発光素子１０１ｒおよび第２発光素子１０２Ｂｒを含む。第１発光素子１０１ｒおよび第２発光素子１０２Ｂｒは、それぞれ、例えば図３２Ａを参照して説明した周期構造１２０ｒと同様の構成を有する周期構造１２１ｒおよび１２２ｒを含む。すなわち、発光素子対１００ｐｒは、特定の方向に向けて赤色光（波長：λｒａ）を強く出射する発光素子の対である。ただし、周期構造１２１ｒおよび１２２ｒにおける周期は、それぞれ、赤の波長域の光を第１の方向および第２の方向に強く出射するように設定されている。
【０１７１】
同様に、発光素子対１００ｐｇは、図３２Ａを参照して説明した周期構造１２０ｇと同様の構成の周期構造１２１ｇを有する第１発光素子１０１ｇと、周期構造１２０ｇと同様の構成の周期構造１２２ｇを有する第２発光素子１０２Ｂｇとを含む。第１発光素子１０１ｇおよび第２発光素子１０２Ｂｇは、それぞれ、第１の方向および第２の方向に向けて緑色光（波長：λｇａ）を強く出射する。発光素子対１００ｐｂは、上述の周期構造１２０ｂと同様の構成の周期構造１２１ｂを有する第１発光素子１０１ｂと、周期構造１２０ｂと同様の構成の周期構造１２２ｂを有する第２発光素子１０２Ｂｂとを含む。第１発光素子１０１ｂおよび第２発光素子１０２Ｂｂは、それぞれ、第１の方向および第２の方向に向けて青色光（波長：λｂａ）を強く出射する。すなわち、この例では、発光素子対１００ｐｒ、１００ｐｇおよび１００ｐｂの間で、特定の方向（第１の方向および第２の方向）におけるピーク波長は、互いに異なっている。
【０１７２】
この例では、発光増強効果を示す波長が互いに異なる複数の周期構造がタイリングされているといえる。このように、特定の方向におけるピーク波長が互いに異なる複数の発光素子対を表示面ＰＳに配列することにより、カラー画像を表示することが可能になる。このような構成によれば、カラーフィルタが不要であるので、光の利用効率の高い表示装置を実現し得る。さらに、この例のように、赤色、緑色および青色のそれぞれについて、出射される光の強度が最大となる方向が互いに異なる第１発光素子および第２発光素子を配置することにより、観察する方向に応じて異なるカラー画像を単一の表示面上に表示させることが可能である。なお、図３９および図４０に例示する構成において、各色の間で、フォトルミネッセンス層１１１およびフォトルミネッセンス層１１２は、共通である。フォトルミネッセンス層１１１を構成する材料と、フォトルミネッセンス層１１２を構成する材料とが共通であってもよい。フォトルミネッセンス層１１１およびフォトルミネッセンス層１１２の構成は、この例に限定されず、例えば、それぞれの色の光に対応して異なるフォトルミネッセンス材料が使用されてもよい。また、カラー表示に使用する色の組み合わせも上述の例に限定されず、他の色の組み合わせを適用してもよいし、ピーク波長が互いに異なる、４種以上の発光素子対を用いてもよい。
【０１７３】
[１１−４．所望の画素を選択的に発光させる構成]
次に、表示面ＰＳ中の所望の画素を選択的に発光させる構成の典型例を説明する。所望の画素を選択的に発光させることにより、表示する画像を動的に変化させることができる。
【０１７４】
図４１は、所望の画素を選択的に発光させる構成の第１の例を示す。ここでは、表示装置３１０を用いた例を説明する。図示するように、例えば、表示装置３１０の観察者側に設置した励起光源１８０Ｓから、所望の画素に向けて励起光（例えば紫外線）のビームを照射することによって、所望の画素を選択的に発光させることができる。励起光源１８０Ｓは、ガルバノスキャナ、ポリゴンミラーなどを含む走査光学系を有していてもよい。励起光の出力を変えながら、ガルバノスキャナ、ポリゴンミラーなどを用いて表示面ＰＳ上を励起光でスキャンすることにより、高解像度の表示が可能である。スキャンと同期させて励起光の照射および遮断を切り替えることにより、動画の表示も可能である。なお、各発光素子は、可視光を透過する。そのため、観察者は、表示装置３１０を介して背景を観察することが可能である。すなわち、画像が空中に浮かんだような効果が得られる。励起光の非照射時に表示装置３１０を透明な窓として利用することも可能である。
【０１７５】
励起光源１８０Ｓの出力および走査光学系の動作は、制御回路１９２を含む制御装置１９０によって制御され得る。制御回路１９２は、例えば、メモリおよびＣＰＵと、デジタルシグナルプロセッサ（ＤＳＰ）などの画像処理回路とを含む。図示するように、制御装置１９０が、外部装置（例えばコンピュータ、取り外し可能なメモリなど）と電気信号の授受が可能な構成を有する入出力インタフェース１９４を含んでいてもよい。入出力インタフェース１９４は、有線または無線により、外部装置（例えば、ネットワークに接続されたサーバーまたは端末装置など）から画像データ、制御信号などを受け取る。制御回路１９２は、入出力インタフェース１９４を介して入力された画像データ（または信号）に基づいて画像信号を生成する。
【０１７６】
表示装置３１０の観察者側とは異なる方向から励起光が照射されてもよい。例えば、表示装置３１０の背面側（すなわち、観察者側とは反対）から発光素子１００ｓに向けて励起光が照射されてもよい。なお、励起光源１８０Ｓとしてレーザーダイオードを用いる場合、あるいは、励起光として紫外線を用いる場合、励起光をカットするフィルターを表示装置３１０の観察者側に設けると、表示装置３１０を透過したレーザー光または紫外線が観察者に照射されないようにできるので有益である。レーザー光はコヒーレント光であるので、周期構造と干渉させることによって、より高い励起効率を実現し得る。
【０１７７】
あるいは、図示するように、表示装置３１０の背面に導光シートＳを配置し、導光シートＳに励起光を照射してもよい。導光シートＳに入射した励起光は、導光シートＳ内を伝搬しながら、表示装置３１０を背面側から照射するので、発光させたい部分に選択的に発光素子を配置しておくことにより、所望の画像を表示させることが可能である。
【０１７８】
図４２は、所望の画素を選択的に発光させる構成の第２の例を示す。図４２に示す例では、表示装置３１０の観察者側に光学シャッタ１９３が配置されている。図示する例では、表示装置３１０の背面側に導光板１９５が配置されており、導光板１９５の側面に励起光源１８０が配置されている。このような構成では、導光板１９５を、フォトルミネッセンス層を支持する基板として機能させ得るので、透明基板１４０を省略し得る。
【０１７９】
光学シャッタ１９３としては、例えば液晶パネルを用いることができる。この場合、液晶パネルには、表示装置３１０の各画素に対向するように複数の画素が配置される。このような構成によれば、液晶パネルの各画素電極に印加する電圧を制御することにより、液晶パネルの各画素における透過率を個別に調整することができるので、観察者から見た、表示装置３１０の各画素の輝度を、電気的な信号を用いて制御することができる。すなわち、液晶ディスプレイと同様の原理に基づいて、画像を表示させることができる。なお、表示装置３１０の各画素からは、周期構造に応じた特定の波長の光が特定の方向に出射されるので、表示面ＰＳ上の液晶パネルにカラーフィルタは不要である。
【０１８０】
光学シャッタ１９３として、表示装置３１０の各画素に対向するように複数のＭＥＭＳ（Micro Electro Mechanical System）シャッタが配置されたメカニカルシャッタを用いてもよい。各ＭＥＭＳシャッタは、高速に駆動させることができるので、開放時間を個別に制御することにより、表示装置３１０の観察者に到達する光量を画素毎に調整することが可能である。各ＭＥＭＳシャッタの開閉は、電気的に制御可能である。
【０１８１】
このように、第１発光素子１０１と観察者との間、および、第２発光素子１０２Ｂと観察者との間に光学シャッタを設けることにより、各画素から観察者に到達する光量を制御し得る。すなわち、所望の画像を表示させることが可能である。光学シャッタ１９３の動作は、制御装置１９０（図４２において不図示、図４１参照）によって制御され得る。表示装置３１０と制御装置１９０とが一体とされていてもよいし、制御装置１９０が表示装置３１０から離れた場所に配置されていてもよい。単一の制御装置１９０によって複数の表示装置３１０における表示が制御されてもよい。
【０１８２】
表示装置３１０に代えて、図３５および図３６を参照して説明した表示装置３００を用いてもよい。この場合、例えば、第１発光素子１０１上のシャッタ（例えば液晶パネルの画素またはＭＥＭＳシャッタ）と、第２発光素子１０２Ａ上のシャッタとの間でオープンおよびクローズを相補的に動作させることにより、視野角の大きな表示と、視野角の小さな表示とを切り替えることができる。このとき、制御回路１９２は、第１発光素子１０１および第２発光素子１０２Ａの一方を選択的に有効化する選択回路として機能するといえる。
【０１８３】
図４３は、所望の画素を選択的に発光させる構成の第３の例を示す。図４３に示す表示装置３１１は、画素毎に、励起光源１８０ｐを有している。励起光源１８０ｐとしては、ＬＥＤ、レーザーダイオードなどを用いることができる。
【０１８４】
屋外に設置する用途においては、離れた場所から情報を認識できればよいので、表示装置における画素サイズは、比較的大きくても構わない。したがって、用途によっては、図示するように、第１発光素子１０１の各々および第２発光素子１０２Ｂの各々に対向するように励起光源１８０ｐを配置してもよい。各励起光源１８０ｐの発光を個別に制御することにより、所望の画素を選択的に発光させ得る。各励起光源１８０ｐの発光は、制御装置１９０（図４３において不図示）によって制御され得る。
【０１８５】
[１１−５．表示装置の応用例]
以下、本開示の実施形態に係る表示装置の種々の応用例を説明する。
【０１８６】
図４４は、多言語表示システムの一例を示す。図４４に示す多言語表示システム４１０は、上述の表示装置３１０を有し、第１の方向から見たときには第１の言語による情報の提示を行い、第２の方向から見たときには第２の言語による情報の提示を行う。既に説明したように、本開示の実施形態によれば、第１の方向から観察したときと、第１の方向とは異なる第２の方向から観察したときとで、異なる画像が認識されるような表示を行い得る。したがって、この例のように、表示装置３１０に関して第１の方向にいる観察者５００Ａに第１の言語による表示を行うと同時に、第２の方向にいる観察者５００Ｂに第２の言語による表示を行うことが可能である。このような構成によれば、観察者５００Ａおよび５００Ｂの母国語に関わらず、スムースに情報の共有を行い得る。多言語表示システム４１０は、例えば、電子辞書、各人に応じた翻訳文を表示する通訳システムとして利用できる。あるいは、複数人に対して異なる画像を同時に提示するゲームシステムとしての多言語表示システム４１０の利用も可能である。
【０１８７】
図４５は、交通情報表示システムの一例を示す。図４５に示す交通情報表示システム４２０は、高速道路における標識または案内板として表示装置３１０を利用した例である。交通情報表示システム４２０は、交通情報表示システム４２０を見る角度に応じて異なる画像を表示する。したがって、図４５中の左側のレーンを走行する車両の運転手、中央のレーンを走行する車両の運転手、および、右側のレーンを走行する車両の運転手に、それぞれ、異なった情報を提示することができる。交通情報表示システム４２０における表示装置３１０は、複数のレーンのうちの中央のレーン上に設置されてもよいし、他のレーン上に設置されてもよい。
【０１８８】
図４６は、交通情報表示システム４２０における表示装置３１０を、空港、駅などの通路の壁面に設置した例を示す。表示装置３１０は、第１の方向から観察したときと、第２の方向から観察したときとで異なる画像を表示可能である。そのため、壁面、柱などに表示装置３１０を設置することにより、表示装置３１０に近づいてくる方向に応じて異なった情報を提示することが可能である。例えば、図４６中において図の右側から左側に向かって歩く通行人５２０Ａと、図の左側から右側に向かって歩く通行人５２０Ｂとに、互いに異なる情報を提示することができる。したがって、例えば、通行人５２０Ａに対しては飛行機の出発時刻を提示し、通行人５２０Ｂに対しては空港から最寄りの町に向かうバスの出発時刻を提示するといった運用が可能である。すなわち、通行人の進行方向に応じた情報の提示により、よりスムースな人の流れを実現し得る。また、例えば、駅のプラットホームが島状であれば、プラットホーム中央の上部に表示装置３１０を設置することにより、プラットホームにおいて右側にいる乗客と、プラットホームにおいて左側にいる乗客とに、電車の目的地に応じた異なる情報を提示することが可能である。
【０１８９】
図４７および図４８は、多視点表示システムの一例を示す。上述の第１の方向および第２の方向は、鉛直面内において互いに異なる方向であってもよい。図４７に示す多視点表示システム４３０における表示装置３１０は、水平方向と、表示装置３１０および観察者を結ぶ方向とのなす角ωに応じて複数の画像を提示する。図示するように、表示装置３１０の近くにいる観察者５３０Ａと、観察者５３０Ａよりも遠くにいる観察者５３０Ｂとの間で、上述の角ωの大きさは異なる。したがって、表示装置３１０からの距離に応じて異なる情報を提示することができる。
【０１９０】
なお、図４８に示すように、表示装置３１０からの距離が同じであっても、観察者の視点の高さが異なれば、上述の角ωの大きさは異なる。そのため、観察者の身長に応じて異なる情報を提示する多視点画像表示システムを実現することも可能である。図４８に例示する構成において、観察者５３０Ａは、例えば子どもであり、観察者５３０Ｂは、例えば大人であり得る。この例では、多視点表示システム４３０は、子どもと大人の間で異なる情報を同時に表示する。このようなシステムによれば、例えば、子ども向けの番組（学習番組、漫画など）と、大人向けの番組（報道番組など）を同時に提示するディスプレイを実現し得る。また、このようなシステムは、広告にも利用可能である。例えば、多視点表示システム４３０は、子ども用の広告と、大人用の広告とを同時に表示するデジタルサイネージとして利用可能である。
【０１９１】
図４４〜図４８に示す応用例は、異なる複数の情報を、表示装置を見る角度が互いに異なる複数の人に提示する。しかしながら、本開示の表示装置の応用例は、これらの例に限定されず、同一人に対して複数の画像を提示する表示システムであってもよい。
【０１９２】
図４９は、多画面表示システムの一例を示す。図４９に示す多画面表示システム４４０は、表示装置３１０と、ミラー３２０とを有する。多画面表示システム４４０は、例えば表示装置３１０とミラー３２０とがヒンジを介して接続されることにより、表示装置３１０およびミラー３２０の間の角度が変更可能に構成される。ミラー３２０は、表示装置３１０の筐体に直接に接続されていてもよいし、表示装置３１０に取り付けられた保護カバーの一部に固定されていてもよい。
【０１９３】
多画面表示システム４４０は、例えば、表示装置３１０の表示面ＰＳとミラー３２０の反射面ＲＳとが対向する第１状態と、表示装置３１０の表示面ＰＳとミラー３２０の反射面ＲＳとが予め決められた角度をなす第２状態とを有する。図４９は、第２状態にある多画面表示システム４４０を示している。この例において、第１の方向は、表示装置３１０と観察者５４０を結ぶ方向に設定されており、かつ、第２の方向は、ミラー３２０で反射した光が観察者５４０に向かうような方向に設定されている。したがって、観察者５４０は、所定の方向から表示装置３１０を見たとき、表示装置３１０の表示面ＰＳ上に表示された第１の画像Ｐｃ１と、ミラー３２０の反射面ＲＳ上に表示された第２の画像Ｐｃ２とを同時に認識することができる。すなわち、ミラー３２０の反射面ＲＳを第２の表示面として機能させられるので、第２の表示装置を別途設けることなく、表示領域を拡大する効果が得られる。例えばスマートフォン、携帯ゲーム機に多画面表示システム４４０を適用すれば、第２の表示装置を別途設けることなく、より多彩な表現が可能となる。
【産業上の利用可能性】
【０１９４】
本開示の表示装置は、情報端末用のディスプレイ、標識、案内板、および、いわゆるデジタルサイネージなどに特に有用である。
【符号の説明】
【０１９５】
１００、１００ａ、１０１、１０２Ａ、１０２Ｂ    発光素子
１１０、１１１、１１２    フォトルミネッセンス層（導波層）
１２０、１２０’、１２０ａ、１２０ｂ、１２０ｃ    透光層（周期構造、サブミクロン構造）
１４０    透明基板
１５０    保護層
１８０、１８０ｐ、１８０Ｓ    光源
１９３    光学シャッタ
２００    発光装置
３００、３１０、３１１    表示装置
３２０    ミラー
【図１Ａ】
2016029481.tif 000020
【図１Ｂ】
2016029481.tif 000021
【図１Ｃ】
2016029481.tif 000022
【図１Ｄ】
2016029481.tif 000023
【図２】
2016029481.tif 000024
【図３】
2016029481.tif 000025
【図４】
2016029481.tif 000026
【図５Ａ】
2016029481.tif 000027
【図５Ｂ】
2016029481.tif 000028
【図５Ｃ】
2016029481.tif 000029
【図６】
2016029481.tif 000030
【図７Ａ】
2016029481.tif 000031
【図７Ｂ】
2016029481.tif 000032
【図８】
2016029481.tif 000033
【図９】
2016029481.tif 000034
【図１０】
2016029481.tif 000035
【図１１】
2016029481.tif 000036
【図１２】
2016029481.tif 000037
【図１３】
2016029481.tif 000038
【図１４】
2016029481.tif 000039
【図１５】
2016029481.tif 000040
【図１６】
2016029481.tif 000041
【図１７Ａ】
2016029481.tif 000042
【図１７Ｂ】
2016029481.tif 000043
【図１７Ｃ】
2016029481.tif 000044
【図１７Ｄ】
2016029481.tif 000045
【図１８Ａ】
2016029481.tif 000046
【図１８Ｂ】
2016029481.tif 000047
【図１９Ａ】
2016029481.tif 000048
【図１９Ｂ】
2016029481.tif 000049
【図１９Ｃ】
2016029481.tif 000050
【図２０】
2016029481.tif 000051
【図２１】
2016029481.tif 000052
【図２２】
2016029481.tif 000053
【図２３】
2016029481.tif 000054
【図２４】
2016029481.tif 000055
【図２５】
2016029481.tif 000056
【図２６】
2016029481.tif 000057
【図２７Ａ】
2016029481.tif 000058
【図２７Ｂ】
2016029481.tif 000059
【図２７Ｃ】
2016029481.tif 000060
【図２７Ｄ】
2016029481.tif 000061
【図２７Ｅ】
2016029481.tif 000062
【図２７Ｆ】
2016029481.tif 000063
【図２８Ａ】
2016029481.tif 000064
【図２８Ｂ】
2016029481.tif 000065
【図２８Ｃ】
2016029481.tif 000066
【図２８Ｄ】
2016029481.tif 000067
【図２８Ｅ】
2016029481.tif 000068
【図２８Ｆ】
2016029481.tif 000069
【図２９】
2016029481.tif 000070
【図３０】
2016029481.tif 000071
【図３１】
2016029481.tif 000072
【図３２Ａ】
2016029481.tif 000073
【図３２Ｂ】
2016029481.tif 000074
【図３２Ｃ】
2016029481.tif 000075
【図３３】
2016029481.tif 000076
【図３４Ａ】
2016029481.tif 000077
【図３４Ｂ】
2016029481.tif 000078
【図３５】
2016029481.tif 000079
【図３６】
2016029481.tif 000080
【図３７】
2016029481.tif 000081
【図３８】
2016029481.tif 000082
【図３９】
2016029481.tif 000083
【図４０】
2016029481.tif 000084
【図４１】
2016029481.tif 000085
【図４２】
2016029481.tif 000086
【図４３】
2016029481.tif 000087
【図４４】
2016029481.tif 000088
【図４５】
2016029481.tif 000089
【図４６】
2016029481.tif 000090
【図４７】
2016029481.tif 000091
【図４８】
2016029481.tif 000092
【図４９】
2016029481.tif 000093
【図５０】
2016029481.tif 000094